(57)【要約】【課題】  遊技者だけでなく第三者も、遊技中と遊技終了の状態を認識することができるデジタル発射強度調整方式のパチンコ機を提供する。【解決手段】  発射強度操作部３０によってデジタルデータを変化させ遊技球の発射強度を調整することができるパチンコ機において、遊技者及び周辺の人から見たときに遊技状態（遊技中か遊技終了か）を容易に認識できるように、遊技者の操作によって遊技開始位置へ動作し、遊技者が手を離すことで遊技終了位置に戻る可動アーム３５を、発射強度操作部３０とは別パーツとして設け、可動アーム３５の状態を検出する検出スイッチ２３、２４と、遊技者の接触を検出するタッチ検出３６ａを設ける。可動アーム３５が遊技開始位置に有り、遊技者がタッチＯＮのときに遊技球の発射を許可し、遊技停止位置にあり、タッチＯＦＦのときに設定されていた発射強度を初期化する。【選択図】    図４
2006280800.tif 000002
【特許請求の範囲】
【請求項１】
遊技者に操作されることによって発射装置から発射される遊技球の発射強度をデジタルデータの変化により調整し得る発射強度操作部を備えたデジタル発射強度調整方式のパチンコ機において、
遊技者の操作によって遊技が開始される位置へ動作され、遊技者の非操作によって遊技が終了する位置へ自動的に戻り、前記両位置の相違が外部から認識可能な可動部を有する可動装置が、前記発射強度操作部とは別の装置として設けられ、
前記可動部が前記遊技が開始される状態の位置に動作しているか、あるいは前記遊技が終了される状態の位置に戻っているかを判別する可動部検出スイッチと、前記可動装置に遊技者が触れているか否かを判別する接触検出スイッチとが設けられ、
前記可動部検出スイッチにより前記可動部が前記遊技が開始される位置に動作していると判別され、且つ、前記接触検出スイッチにより前記可動装置に遊技者が触れていると判別されたときに前記発射装置からの遊技球の発射を開始させるように制御し、前記可動部検出スイッチにより前記遊技が終了される位置に戻っていると判別され、且つ、前記接触検出スイッチにより前記可動装置に遊技者が触れていないと判別されたときに前記発射装置からの遊技球の発射強度を初期化させるように制御する制御手段が設けられていることを特徴とするデジタル発射強度調整方式のパチンコ機。
【請求項２】
前記可動部検出スイッチは、前記可動部が前記遊技が開始される位置に動作していることを判別する第一の検出スイッチと、前記遊技が終了される位置に戻っていることを判別する第二の検出スイッチとによって構成されていることを特徴とする請求項１に記載のデジタル発射強度調整方式のパチンコ機。
【請求項３】
前記可動装置には、前記可動部に遊技者が触れているときに、前記遊技が開始される位置に可動部を維持可能な開始状態維持手段が設けられていることを特徴とする請求項１または２に記載のデジタル発射強度調整方式のパチンコ機。
【請求項４】
前記可動装置には、前記遊技が終了される位置に戻っている可動部を維持可能な終了位置維持手段が設けられていることを特徴とする請求項１から３のいずれかにに記載のデジタル発射強度調整方式のパチンコ機。
【発明の詳細な説明】
【技術分野】
【０００１】
本発明は、デジタル方式によって遊技球の発射強度を設定するパチンコ機、特に、遊技球の発射制御手段に関するものである。
【背景技術】
【０００２】
パチンコ遊技においては、各遊技者は一台のパチンコ機で遊技することを基本原則とされており、一人の遊技者が複数台のパチンコ機を占有する、いわゆる掛け持ち遊技は禁止されている。このパチンコ機の掛け持ち遊技を防止する為には、先ず、そのパチンコ機が特定の遊技者によって遊技されている状態といえるのか否かを判別できることが必要であり、その為にはパチンコ機の「遊技中状態」と「遊技終了状態」との区別が明確にされていることが望まれる。
【０００３】
「遊技中状態」とは、ハンドル部分への遊技者の接触（タッチオン）により発射駆動パルスが発生しており、且つ、ハンドルが操作されて発射強度レベルが「０」よりも大きくなっていることと定義することができる。そしてこれらのことを逆に考えると、「遊技終了状態（非可動状態）」とは、タッチオンによる発射駆動パルスが発生していないこと（即ち、遊技者がハンドル部分に接触していない（タッチオフである）こと）、若しくは、発射強度レベルが「０」となっていること（即ち、ハンドルが操作されていないこと）と定義することができる。しかし、実際には、「遊技終了状態（非可動状態）」とは、タッチオフであること、且つ、発射強度＝「０」というように解釈され実施されている。
【０００４】
従って、回転式ハンドルを備え、アナログＶＲ方式によって遊技球の発射強度調整を行っていた従来のパチンコ機では、遊技者がハンドル部分から手を離して非接触状態となったときには必ず、発射駆動パルスの発生を停止させ、且つ、発射強度＝「０」つまりハンドルが操作されていない初期状態になるようにバネ等の力によって強制的にハンドルを復帰させるような構成となっていた。このため、遊技中は常に遊技者の操作している回転式ハンドルにはバネ等の力によって機構的に初期位置に回転復帰しようとする力が作用する。よって、遊技者は、この復帰力に抗しながらハンドル回転位置を変化させて発射強度を調整し、更にその回転位置を維持することとなり、長時間遊技を継続すると、腕、手、肩等が疲れるという欠点があった。
【０００５】
このような欠点を解消するために、バネ等の復帰力が作用しない発射強度調整方式のパチンコ機として、例えば、デジタル制御により発射強度を調整可能なデジタル制御方式のパチンコ機が考案されている。デジタル制御方式のパチンコ機によれば、遊技の終了を検出した後、設定されている発射強度としてのデジタルデータを電気的にリセットするという構成を取るため、バネ等の復帰力によって発射強度を「０」戻す機構の回転式ハンドルを備える必要がなく、遊技者もバネ等の復帰力に抗する力を要しない。
【０００６】
ところで、デジタル制御方式のパチンコ機においても「遊技終了状態」を判定する必要はある。しかし、デジタル制御方式では、上記のようにバネ等の復帰力によって発射強度を「０」に戻す機構を備える必要がなくなるため、「遊技終了状態」の判定は、遊技者が、所定の場所（例えば、デジタル発射強度を設定するために設けられた設定部等）から非接触状態となったことを検出し、その時点を「遊技終了状態」と判定して、設定されている発射強度としてのデジタルデータを電気的にリセットするという制御方式を取らざるを得ないと考えられる。
【０００７】
ところが、現在の回転式ハンドルを備えたアナログＶＲ方式のパチンコ遊技では、遊技者は、ハンドルグリップの回転レバーに介物を用いて、発射強度が一定になるように回転位置を固定することにより、タッチのみをオフにすると、その発射強度位置を維持したまま遊技の一時停止状態とすることができ、さらにその状態からタッチオンすると、維持されていた一時停止以前の発射強度で直ちに遊技を開始することができると認識している。そして、例えば、遊技中に図柄変動の始動メモリが満杯状態となったとき、あるいはリーチ状態が発生したとき、上記のようにして発射強度を維持したまま頻繁にタッチオフして遊技を一時停止させ、始動メモリの消化、リーチ演出の終了待ちを行い、その後タッチオンして遊技を継続している。
【０００８】
従って、デジタル制御方式のパチンコ機によって行われる、設定部等から非接触状態となった時点を「遊技終了状態」と判定して設定されている発射強度（デジタルデータ）を電気的にリセットするという制御方式は、上記回転式ハンドルを備えたアナログＶＲ方式のパチンコ機の操作習慣に馴れた遊技者にとって遊技し難いものになる。
【０００９】
デジタル制御方式により発射強度を調整するパチンコ機において、上記以外の「遊技終了状態」の判定手段としては、下記特許文献１に示すものがある。この判定手段によれば、遊技者がハンドル部から非接触状態になったときは常に遊技の一時停止状態が発生し、その後、遊技者によって初期化スイッチ（終了スイッチ）が操作されると、一時停止状態が解除されると共に、設定されている発射強度が初期化され、遊技が終了状態になるというものである。
【００１０】
【特許文献１】特開２００４−７３２３８号公報
【発明の開示】
【発明が解決しようとする課題】
【００１１】
しかしながら、遊技者は頻繁にタッチオフすることに馴れているため、デジタル制御方式のパチンコ機で遊技しているにも拘わらず、遊技を終了する意思はないのに不用意にタッチオフしてしまい、遊技者の意思に反して設定されている発射強度（デジタルデータ）をリセットしてしまうという不具合があった。これにより遊技者は継続してタッチオン状態を維持しようと意識し、異なる操作感覚に馴れず、遊技に対して興趣を低下してしまうという不具合もあった。また、上記特許文献１のパチンコ機では、実際には、遊技者が遊技終了時に必ずしも終了スイッチを操作するとは限らないため、「遊技終了状態」を確実に判定することができないという欠点があった。
【００１２】
そこで、本願発明はこのような事情に鑑みてなされたものであり、長時間遊技を継続した場合にも、遊技者の腕等に負担が掛からず、且つ、「遊技中状態」及び「遊技終了状態」を明確に認識することができるデジタル発射強度調整方式のパチンコ機の提供を目的とするものである。
【課題を解決するための手段】
【００１３】
上記課題を解決するために、請求項１に係るデジタル発射強度調整方式のパチンコ機の発明は、遊技者に操作されることによって発射装置から発射される遊技球の発射強度をデジタルデータの変化により調整し得る発射強度操作部を備えたデジタル発射強度調整方式のパチンコ機において、遊技者の操作によって遊技が開始される位置へ動作され、遊技者の非操作によって遊技が終了する位置へ自動的に戻り、前記両位置の相違が外部から認識可能な可動部を有する可動装置が、前記発射強度操作部とは別の装置として設けられ、前記可動部が前記遊技が開始される状態の位置に動作しているか、あるいは前記遊技が終了される状態の位置に戻っているかを判別する可動部検出スイッチと、前記可動装置に遊技者が触れているか否かを判別する接触検出スイッチとが設けられ、前記可動部検出スイッチにより前記可動部が前記遊技が開始される位置に動作していると判別され、且つ、前記接触検出スイッチにより前記可動装置に遊技者が触れていると判別されたときに前記発射装置からの遊技球の発射を開始させるように制御し、前記可動部検出スイッチにより前記遊技が終了される位置に戻っていると判別され、且つ、前記接触検出スイッチにより前記可動装置に遊技者が触れていないと判別されたときに前記発射装置からの遊技球の発射強度を初期化させるように制御する制御手段が設けられていることを特徴とするものである。
【００１４】
また、請求項２に係るパチンコ機の発明は、請求項１に記載の発明において、前記可動部検出スイッチは、前記可動部が前記遊技が開始される位置に動作していることを判別する第一の検出スイッチと、前記遊技が終了される位置に戻っていることを判別する第二の検出スイッチとによって構成されていることを特徴とするものである。
【００１５】
また、請求項３に係るパチンコ機の発明は、請求項１または２に記載の発明において、前記可動装置には、前記可動部に遊技者が触れているときに、前記遊技が開始される位置に可動部を維持可能な開始状態維持手段が設けられていることを特徴とするものである。
【００１６】
また、請求項４に係るパチンコ機の発明は、請求項１から３のいずれかに記載の発明において、前記可動装置には、前記遊技が終了される位置に戻っている可動部を維持可能な終了位置維持手段が設けられていることを特徴とするものである。
【発明の効果】
【００１７】
本発明に係るパチンコ機によれば、遊技球の発射強度を一定の強度に維持するために、遊技者は機構的な復帰力（従来の回転式ハンドルを備えたパチンコ機に作用するバネ等による復帰力）に対抗する維持力を必要としないというデジタル発射強度調整方式のパチンコ機の利便性を享受しながら、「遊技中状態」及び「遊技終了状態」を明確に認識することができ、遊技球の発射強度が初期化されるタイミングを容易に認識することができるので、遊技者はリラックスして長時間の遊技を継続することができる。
【発明を実施するための最良の形態】
【００１８】
以下、本発明に係るパチンコ機の実施の形態を添付図面に基づいて説明する。
図１は、パチンコ機の一形態を示す正面図である。このパチンコ機１は、遊技領域の略中央部にいわゆるセンター役物として複数の図柄を変動表示あるいは停止表示させる可変表示装置２を備えたパチンコ機である。図示を省略する発射装置から遊技球が打ち出され、打ち出された遊技球が所定の入賞口へ入賞すると、その入賞に基づいて可変表示装置２に複数の図柄（数字や絵柄等）が所定時間変動表示される。所定時間経過後に抽選によって乱数の中から選択された図柄が停止表示され、その停止表示された図柄が予め定められた特定の組み合わせ図柄である場合、大入賞口３が所定時間連続して開放し遊技球の入賞し易い状態となって短時間で多くの賞球を得ることが可能となり、遊技者に有利な特別遊技状態（大当たり状態）が発生する。
【００１９】
パチンコ機１は、外枠２０を備え、外枠２０の前面側には、外枠２０に対して開閉可能に額縁状の内枠２１が蝶着され、内枠２１内、即ち、額縁の内側には、遊技盤が内枠２１に対して着脱可能に取り付けられている。また、内枠２１の前面側には、遊技盤の前面を覆うように、内枠２１に対して開閉可能にガラス枠４が蝶着されている。ガラス枠４の中央部には、窓部が形成されており、その窓部を塞ぐように透明ガラスが装着されている。従って、ガラス枠４の奥側（ガラスの裏側）には、該ガラスを透して遊技者側から遊技盤が視認可能な状態であり、ガラス枠４の窓部の大きさに対応して、即ち、ガラスを透して遊技者が視認可能な遊技盤上の位置に遊技領域５が形成されている。また、ガラス枠４には、特定の遊技状態であること、例えば、大当り遊技状態であることを表示する複数の表示灯６、あるいは遊技のエラー状態である賞球払出しエラー等を表示する表示灯６'、及び、遊技状態に応じて所定の音楽あるいは音声を出力するスピーカ７、７'が設けられている。
【００２０】
遊技盤上には、発射装置から打出された遊技球を誘導する略円弧状の外レール８ａ及び内レール８ｂが設けられ、この二つのレール８ａと８ｂによって囲まれた部分が遊技領域５を形成している。遊技球はこの遊技領域５を流下し、また遊技球が遊技領域５に設けられている入賞口に入賞する等の所定の条件を満たすと予め定められた賞球が払い出される。遊技領域５の略中央には可変表示装置２が設けられ、この可変表示装置２には、図柄の変動表示が行われる可変表示部９が設けられている。可変表示部９には、左表示部９ａ、中表示部９ｂ、右表示部９ｃの３つの表示部が設けられ、それぞれの表示部には、複数の図柄が独立して変動表示、および停止表示される。
【００２１】
可変表示装置２の下側には始動入賞口１０が設けられており、この始動入賞口１０への遊技球の入賞に基づいて可変表示部９に図柄の変動表示動作が開始される。始動入賞口１０の下側には、可変表示部９ａ〜９ｃに特定の図柄が停止表示したとき、例えば、「７」、「７」、「７」のように同じ図柄が３つ停止表示したとき（以下、大当たり状態ともいう）に所定時間継続して開放状態となる大入賞口３が設けられている。また、大入賞口３の内部にはＶ入賞ゾーンが設けられており、大入賞口３の開放中、いわゆるラウンド中に大入賞口３に入賞した遊技球がこのＶ入賞ゾーンを通過すると、そのラウンドが終了し閉状態となった大入賞口３が再度開放状態となる。このように大当たり状態の発生により、短時間で多くの賞球を得ることが可能となり、遊技者に有利な特別遊技状態が発生する。大入賞口３の左右両側には、一般入賞口１１が設けられている。また、大入賞口３の下側には、遊技領域５を流下していずれの入賞口にも入賞しなかった遊技球、いわゆる外れ球が排出されるアウト口１２が設けられている。
【００２２】
遊技盤の前面を覆うガラス枠４の下方部には、球皿部１３を備えた一体皿１４が配設されている。この一体皿１４の球皿部１３には、図示を省略する遊技球の貯留タンクと連通し、貯留タンクの遊技球を球皿部１３へ流出させる連通口１５が形成されている。一体皿１４は、図１において左辺部を支軸として内枠２１に対して開閉可能な状態に取り付けられている。一体皿１４の左側下部には灰皿１６が設けられ、右側下部には遊技者の操作によって発射装置から発射される遊技球の発射強度、即ち、遊技球の飛距離を調整するための発射強度操作装置１７が設けられている。発射強度操作装置１７は、その操作部に設けられたスイッチ操作によって発射装置からの遊技球の発射状態をデジタル制御方式により調整する設定手段であり、スイッチ操作に伴なってデジタルデータを出力している。そして、このデジタルデータによって遊技球の発射強度が決定され、遊技球は発射装置から発射されている。発射強度操作装置１７の上側には、遊技球の発射強度を調整するスイッチの操作が受け付け可能状態にあるか否かを報知するための報知手段である強度調整可能表示灯１８が設けられている。
【００２３】
図示は省略されているが、一体皿１４の裏側には、電気的駆動源としてソレノイドを備えた、遊技球の発射装置が設けられている。遊技者による発射強度操作装置１７の調整結果は、デジタルデータをＤ／Ａ変換したＤＣ電圧として出力され、この発射強度操作装置１７から出力される電圧を基にしてソレノイドが励磁され、その励磁力によってソレノイドが遊技球を打ち出す。発射強度操作装置１７から出力される電圧は、例えば、発射強度操作装置１７の最小調整量から最大調整量に対応してＤＣ電圧０Ｖ〜５Ｖまで変化する。この出力電圧に基づいて発射装置のソレノイドの励磁力が調整され、遊技球の発射強度（遊技球の到達距離）が調節できる。例えば、ＤＣ電圧が大きくなるに従ってソレノイドの励磁力が大きくなって遊技球をより遠くに到達させることができる。
尚、図１に示すパチンコ機の形態に限定されるものではなく、例えば、可動羽根を備え、特定の条件が成立すると可動羽根が連続して開閉状態を繰り返す大当り遊技状態のパチンコ機等であってもよい。
【００２４】
ここで図２、図３に基づき発射強度操作装置１７の構成について説明する。図２は、図１に示されている発射強度操作装置１７を右側から見たときの斜視図である。発射強度操作装置１７は、パチンコ機１に取り付けられている設定操作部３０と、該設定操作部３０の下側に取り付けられているアームレスト部３２とから概略構成されている。また、アームレスト部３２は、固定アームとして作用しパチンコ機１に取り付けられている支持部３４と、支軸３１を介して支持部３４に対して回転可能に取り付けられている可動アーム３５とから構成されている。非遊技時、即ち、遊技終了時には、可動アーム３５は、自重により起立した状態（図２に示す状態）を保持している。
【００２５】
図３は、可動アーム部３５を図２の状態から略９０度回転させた発射強度操作装置１７を示す斜視図である。この形態では、発射装置から遊技球を発射させて遊技の開始状態（遊技中状態）にするために、遊技者の意思によって可動アーム３５を回転させて図３に示すような状態にし、さらに設定操作部３０あるいは可動アーム３５の腕置き部３６（後述する）に接触していること、例えば、設定操作部３０あるいは腕置き部３６上に遊技者が手、腕等（以下、単に「手」あるいは「腕」ともいう）を接触させていることが必要である。従って、図２に示されるように可動アーム３５が起立した状態では遊技を開始すること、即ち発射装置から遊技球を発射させることはできない。遊技者は遊技球を発射させるに際して先ず可動アーム３５を回転させ、次に設定操作部３０あるいは可動アーム３５の腕置き部３６に腕を置いて、設定操作部３０に設けられているスイッチ３３を操作して発射強度を調整する。このとき支持部３４によって、アームレスト部３２全体が支持されると共に、可動アーム３５に置かれた遊技者の腕の重さが支えられている。
【００２６】
さらに図４、図５に基づき発射強度操作装置１７の構成について説明する。図４は、可動アーム３５が起立した状態の発射強度操作装置１７（図１に示されている発射強度操作装置１７）の右側面図である。また、図５は、可動アーム３５が倒れた状態（図３に示されている可動アーム３５の状態）の発射強度操作装置１７の右側面図である。
可動アーム３５は、支持部３４の支軸３１を軸とした天秤状の構造を有しており、遊技者が腕を置く腕置き部３６と、支軸３１を挟んで腕置き部３６の反対側に配設されるウエイト部３７とから構成されている。可動アーム３５は、遊技者によって操作されていない非遊技時においては、腕置き部３６よりも重いウエイト部３７の重量によって左方向に回転し自動的に起立状態となる。即ち、図５に示されるように、可動アーム３５が遊技者によって操作されて倒れている状態において、遊技者が可動アーム３５から手を離し非接触状態となった場合には、ウエイト部３７の自重により可動アーム３５は支軸３１の回りに左方向へ回転し図４に示すような起立状態に変化する。
【００２７】
遊技者がそれまで遊技していたパチンコ機での遊技を終了して、他のパチンコ機、例えば、隣接するパチンコ機へ移動しようとする場合、遊技者はそれまで遊技していたパチンコ機の発射強度操作装置１７から手を離すため、その可動アーム３５は上記のように自動的に起立状態に変化する。このとき遊技者が多くの遊技球を獲得して球箱内に所有しているときは、球箱が重いため持ち上げずにパチンコ島内の置台上を滑らせて移動することがある。このような場合の球箱の移動に対して起立状態となったときの可動アーム３５のウエイト部３７が障害とならないように、可動アーム３５の各部の長さ、および重さが決定されている。
【００２８】
また、遊技者によって遊技が行われていない非遊技時、つまり遊技終了状態時においては、起立状態となった可動アーム３５、特に腕置き部３６によって設定操作部３０が覆われ、遊技者が設定操作部３０のスイッチ３３を容易に操作することができない構造に形成されている。このような構造にすることにより、遊技者は、設定操作部３０の覆いを外さなければ遊技を行うことができないことを認識し、遊技開示時には必然的に可動アーム３５に触り手前側に倒す操作を行う。従って、取扱いの説明が無くても、先ず最初に可動アーム３５に接触し、倒す操作をすることから遊技開始プロセスが始まるということを容易に認識させることができる。可動アーム３５が倒れた状態になると、設定操作部３０を覆っていた腕置き部３６が取り除かれるため、遊技者は設定操作部３０のスイッチ３３を容易に操作できる状態になる。
【００２９】
設定操作部３０の上面（スイッチ３３の表面も含む）、および可動アーム３５の腕置き部３６の上面には、タッチ検出部３０ａ、および３６ａが設けられている。タッチ検出部にはタッチセンサが配設されており、このタッチセンサによって遊技者が設定操作部３０あるいは腕置き部３６に接触している（タッチオン）か否か検出されている。また、設定操作部３０には、可動アーム３５の回転位置を検出するための検出手段が設けられている。本発明ではこの検出手段によって可動アーム３５の回転状態を検出することにより、パチンコ機の「遊技中状態」及び「遊技終了状態」の内部判別処理を行っている。
【００３０】
次に、検出手段について説明する。図４および図５は、検出手段として２個の検出スイッチ（スタンバイスイッチ２３とリセットスイッチ２４）が設けられた形態を示す。
スタンバイスイッチ２３は、可動アーム３５の倒れた状態（以下、「倒」状態ともいう）、即ち、遊技者が遊技を開始するために可動アーム３５を倒したことを検出するためのスイッチである。スタンバイスイッチ２３は、設定操作部３０の下側であって、奥側寄り、即ち、パチンコ機１の本体寄りに設けられており、可動アーム３５が図４に示す起立した状態（以下、「立」状態ともいう）から回転し、図５に示す略水平の状態、つまり「倒」状態になるとオンするように設定されているスイッチである。可動アーム３５の回転によってウエイト部３７がスタンバイスイッチ２３に接触しオン状態となる。検出スイッチとしては、マイクロスイッチ、フォトスイッチ等が使用される。
【００３１】
遊技者の操作によって可動アーム３５が「倒」状態にされ、スタンバイスイッチ２３がオンされると、設定操作部３０のスイッチ３３操作が受け付け可能となる。この発射強度の調整が受付可能となったことは、強度調整可能表示灯１８の点灯によって報知される。即ち、遊技者が設定操作部３０あるいは腕置き部３６のタッチ検出部３０ａあるいは３６ａにタッチオンしており、且つ、スタンバイスイッチ２３がオンである場合に遊技開始可能状態と判定される。そして、この遊技開始可能状態において、さらに設定操作部３０のスイッチ３３が操作されて発射強度が設定される（強度がゼロよりも大きくなる）とその発射強度で遊技球が発射されて、「遊技中状態」であると判定される。尚、発射強度の調整が受付可能となったことは、例えば、設定操作部３０のスイッチ３３上面部に照明を内蔵しておき、受け付け可能時に照明を点灯させるようにしてもよい。
【００３２】
リセットスイッチ２４は、可動アーム３５の「立」状態、即ち、遊技者が遊技を終了し、可動アーム３５が起き上がったことを検出するためのスイッチである。リセットスイッチ２４は、設定操作部３０の下側であって前側寄り（パチンコ機１の本体から離れた位置）に設けられており、可動アーム３５が回転し図４に示す略鉛直の状態、つまり「立」状態になるとオンするように設定されているスイッチである。可動アーム３５の回転によって可動アームの略中央部分、例えば、その部分に設けられたゴム等からなる緩衝部材２５がリセットスイッチ２４に接触しオン状態となる。検出スイッチとしては、マイクロスイッチ、フォトスイッチ等が使用される。
【００３３】
遊技者が設定操作部３０あるいは腕置き部３６のタッチ検出部３０ａあるいは３６ａから非接触状態となり、可動アーム３５が「立」状態となってリセットスイッチ２４がオンされると、「遊技終了状態」であると判定される。この判定により、それまで設定されていた発射強度がリセットされてゼロになる。これを逆の言い方をすれば、リセットスイッチ２４がオンされても、遊技者がタッチ検出部３０ａあるいは３６ａにタッチオンしていれば「遊技終了状態」とは判定されず、発射強度はリセットされない。尚、遊技球の発射駆動は、前記遊技者が非接触状態になったときに停止される。
【００３４】
スタンバイスイッチ２３とリセットスイッチ２４の両方のスイッチがオンしていない状態、即ち、可動アーム３５が回転途中の状態について以下に説明する。
可動アーム３５が、「倒」状態から「立」状態の方向に回転している途中の場合には、発射停止以前の発射強度、即ち、スタンバイスイッチ２３がオフ状態になる寸前に発射されていた遊技球の発射強度が維持され（後述する記憶手段に保持され）た状態で、遊技球の発射駆動が停止される。いわゆる強制的一時停止状態となる。また、可動アーム３５が、「立」状態から「倒」状態の方向に回転している途中の場合には、「立」状態においてリセットスイッチ２４がオンされ発射強度はリセットされていたため、「倒」状態になってスタンバイスイッチ２３がオン状態になるまでは、発射強度ゼロ状態が維持される。上記何れの回転の期間中においても、スタンバイスイッチ２３がオフ状態であるため、遊技者がタッチ検出部３０ａあるいは３６ａにタッチオンしていたとしても、遊技球の発射駆動は停止される。また、このとき発射強度の調整は受け付けられない状態となっており、その旨は強度調整可能表示灯１８の消灯によって報知される
【００３５】
本発明では、遊技者のタッチオン／オフを検出することによって、遊技球の発射駆動パルスの発生／停止のみ、即ち、遊技球を発射させるか否かのみを制御している。タッチオフ検出のみによる発射強度の初期化（強度をゼロにする）は行っていない。また、遊技終了時の発射強度の初期化タイミングは、遊技中に「倒」状態であった可動アーム３５が、遊技終了後に、遊技者がタッチオフ状態となり遊技者の腕の重さによる可動アーム３５への押えがなくなることで自動的に「立」状態に戻って行き、完全に「立」状態になったことがリセットスイッチ２４によって検出された時点で行われる。このように処理することで、遊技状態に応じて可動アーム３５の回転位置が目視上明確に変化するので、遊技者に遊技状態をより確実に認識させることができる。
【００３６】
また、図４および図５に示す形態の発射強度操作装置１７には、可動アーム３５の「立」状態および「倒」状態を安定化させるための安定化手段が設けられている。
設定操作部３０の下側であって前側寄り（パチンコ機１の本体から離れた位置）には、「立」状態を安定化させる手段として永久磁石２６ａが設けられており、それに相対する可動アーム３５の略中央部の位置には、「立」状態を安定化させる手段として鉄板等の磁性体２６ｂが設けられている。これらの安定化手段２６ａ、２６ｂは、磁力により吸着することで、可動アーム３５が支軸３１の周りを天秤状にフラフラ不安定に動作するのを防止し、「立」状態を維持して、確実にリセットスイッチ２４のオン状態を維持するためのものである。尚、遊技を開始する際に遊技者が手の力によって容易に永久磁石２６ａと磁性体２６ｂとの吸着力を開放することができる程度に吸引力を設定することが望ましい。
【００３７】
設定操作部３０の下側であって奥側寄り（パチンコ機１の本体寄りの位置）には、「倒」状態を安定化させるための手段として電磁石２７ａが設けられており、それに相対する可動アーム３５のウエイト部３７の位置には、「倒」状態を安定化させるための手段として鉄板等の磁性体２７ｂが設けられている。これらの安定化手段２７ａ、２７ｂは、電磁ロック機構によって、「倒」状態を保持、確実にスタンバイスイッチ２３のオン状態を維持するためのものである。
【００３８】
可動アーム３５が遊技者によって略水平の位置まで操作されると、スタンバイスイッチ２３がオン状態になると共に、電磁ロック機構が作動する。即ち、電磁ロック機構がオン状態となるためには、スタンバイスイッチ２３がオン状態であって、且つ、遊技者が設定操作部３０あるいは腕置き部３６のタッチ検出部３０ａあるいは３６ａに接触したタッチオン状態であることが必要となる。従って、遊技者がタッチ検出部３０ａあるいは３６ａに対して非接触状態になる、即ち、タッチオフ状態になると、その状態が検出手段によって検出され、可動アーム３５を固定していた電磁ロックへの通電が停止されてそのロックが解除され、可動アーム３５はウエイト部３７の重さにより自動的に回転し始め、「立」状態へ変化して行く。このような構成とすることにより、遊技中は可動アーム３５が電磁ロックされて「倒」状態に固定されているので、ウエイト部３７の重さによる可動アーム３５の回転力に抗した力を必要せずに遊技者は遊技することができる。
【００３９】
次に、検出手段としてリセットスイッチ２４のみが設けられた発射強度操作装置１７の形態について説明する。この形態は、図４および図５に示す発射強度操作装置１７においてスタンバイスイッチ２３を取り除いた構成のものである。従って、図４および図５に基づいて説明し、この形態自体の図示は省略する。
リセットスイッチ２４は、可動アーム３５の「立」状態、即ち、遊技者が遊技を終了し、可動アーム３５が起き上がったことを検出するためのスイッチである。リセットスイッチ２４は、設定操作部３０の下側であって前側寄り（パチンコ機１の本体から離れた位置）に設けられており、可動アーム３５が回転し図４に示す略鉛直の状態、つまり「立」状態になるとオンするように設定されているスイッチである。可動アーム３５の回転によって可動アームの略中央部分、例えば、その部分に設けられたゴム等からなる緩衝部材２５がリセットスイッチ２４に接触しオン状態となる。検出スイッチとしては、マイクロスイッチ、フォトスイッチ等が使用される。
【００４０】
遊技者が設定操作部３０あるいは腕置き部３６のタッチ検出部３０ａあるいは３６ａから非接触状態となり、可動アーム３５が「立」状態となってリセットスイッチ２４がオンされると、「遊技終了状態」であると判定される。この判定により、それまで設定されていた発射強度がリセットされてゼロになる。これを逆の言い方をすれば、リセットスイッチ２４がオンされても、遊技者がタッチ検出部３０ａあるいは３６ａにタッチオンしていれば「遊技終了状態」とは判定されず、発射強度はリセットされない。尚、遊技球の発射駆動は、前記遊技者が非接触状態になったときに停止される。
【００４１】
この形態では、遊技者によって可動アーム３５が操作されて、リセットスイッチ２４がオフ状態になると、遊技者が設定操作部３０あるいは腕置き部３６のタッチ検出部３０ａあるいは３６ａに接触していれば、遊技球の発射駆動は開始され、その時点で発射強度が設定されていれば遊技球は発射装置から発射される。また、リセットスイッチ２４がオフ状態になると、遊技者が設定操作部３０あるいは腕置き部３６のタッチ検出部３０ａあるいは３６ａに接触していれば、設定操作部３０のスイッチ３３操作が受け付け可能となる。この発射強度の調整が受付可能となったことは、上記形態と同様に強度調整可能表示灯１８あるいはスイッチ３３上面部に内蔵した照明等によって報知される。
【００４２】
例えば、遊技者の操作によって「立」状態であった可動アーム３５が「倒」状態にされた場合には、遊技者が設定操作部３０あるいは腕置き部３６のタッチ検出部３０ａあるいは３６ａにタッチオンしていれば、設定操作部３０のスイッチ３３操作が受け付け可能な遊技開始可能状態と判定される。そして、この遊技開始可能状態において、さらに設定操作部３０のスイッチ３３が操作されて発射強度が設定される（強度がゼロよりも大きくなる）と、発射装置の発射駆動は既に開始されているので、その設定した発射強度で遊技球が発射されると共に、そのパチンコ機は「遊技中状態」であると判定される。
【００４３】
また、可動アーム３５が回転途中の状態にあり、リセットスイッチ２４がオンしていない状態では、遊技者が設定操作部３０あるいは腕置き部３６のタッチ検出部３０ａあるいは３６ａにタッチオンしている場合には、設定操作部３０のスイッチ３３操作は受け付けられる状態であり、さらに設定操作部３０のスイッチ３３が操作され発射強度が設定されていれば、発射装置は駆動しているので、その設定されている発射強度で遊技球は発射され、そのパチンコ機は「遊技中状態」であると判定される。但し、可動アーム３５が、「立」状態から「倒」状態の方向に回転している途中の場合には、「立」状態においてリセットスイッチ２４がオンされ発射強度はリセットされているため発射強度ゼロ状態が維持され、発射駆動が開始されても遊技球の発射は起こらない。
【００４４】
これに対して、遊技者が設定操作部３０あるいは腕置き部３６のタッチ検出部３０ａあるいは３６ａにタッチオフである場合には、設定操作部３０のスイッチ３３操作は受け付けられない状態となり、さらに発射装置の発射駆動は停止状態となる。この場合、発射強度が既に設定されていれば、発射停止以前の発射強度、即ち、遊技者がタッチオフ状態になる寸前に発射されていた遊技球の発射強度が維持され（後述する記憶手段に保持され）た状態で、遊技球の発射駆動が停止され、いわゆる強制的一時停止状態となる。従って、可動アーム３５が「倒」状態から「立」状態に回転している途中で、再度、タッチ検出部３０ａあるいは３６ａにタッチオン状態になれば、前記保持された発射停止以前の発射強度を再取得してその強度で再発射が行われる。尚、検出手段については、上記形態の場合と同様に設けられ、同様に作用する。リセットスイッチ２４とスタンバイスイッチ２３の２個のスイッチによって可動アームの「立」位置、「倒」位置をそれぞれ検出する場合、製造上のコストと手間がかかるという問題があるが、チャタリング等の不安定な動作（発射が開始する可動アームの位置と発射が停止する可動アームの位置が安定しない）が発生せず、安定した動作を確保することができる。一方、位置検出を１個のスイッチで行う場合、コスト面での利点はあるが、スイッチの検出位置近傍で可動アームを「立」方向へ動かしたり「倒」方向へ動かしたりすると、発射の開始と停止が交互に起こり、いわゆるチャタリング動作が発生する。
【００４５】
図６は、アームレスト部３２の別の形態を示すものである。図（ａ）は発射強度操作装置１７の可動アーム３５が「倒」状態となったときの図であり、図（ｂ）はアームレスト部３２の上面図であり、図（ｃ）はバネの一形態である巻線バネ２８を示す図である。この形態は、可動アーム３５の「倒」状態から「立」状態方向への回転を支軸３１に取り付けたバネ力によって行う構成を有している。巻線バネ２８は、通常時は図（ｃ）に示す「く」字状態２８ａの形状を有しており、可動アーム３５が「立」状態のときに、巻線バネ２８はこの「く」字状態２８ａの形状で支軸３１に取り付けられている。可動アーム３５が操作されて「倒」状態になると、巻線バネ２８は図（ｃ）に示す「一」字状態２８ｂの形状に延ばされる。このときの巻線バネ２８の「く」字状態２８ａに戻ろうとするバネ力が、可動アーム３５を左回転させようとする力として作用し、遊技者がタッチオフ状態になると可動アーム３５はこのバネ力によって「立」状態に戻される。このような構成にすることにより、図４に示される形態のようなウエイト部３７を可動アーム３５に設ける必要がなくなり、支軸３１に対して腕置き部３６と反対側に配置される可動アーム３５の部分の長さを短くすることができ、可動アーム３５が「立」状態となったときに発射強度操作装置１７の下方向へ飛び出す部分を少なくすることができるので、遊技者の獲得球を保持しておく球箱の邪魔とならない。
【００４６】
図７は、設定操作部３０に設けられたスイッチ３３の一形態を示している。
設定操作部３０には、ワープスイッチ４１が設けられている。ワープスイッチ４１は、発射装置から発射される遊技球の発射強度を選択するための発射強度選択手段としてのスイッチである。この形態では、遊技者が遊技の際によく狙う遊技球の飛距離到達場所が予め設定されており、ワープスイッチ４１の押し操作により順次その設定された到達場所の１つが選択される。到達場所が選択されると、発射装置から発射された遊技球を選択された場所に到達させるために必要な、発射装置のソレノイドを励磁する電圧が発射強度操作装置１７から出力され、その電圧によって発射装置のソレノイドが励磁されると共に、その励磁力による発射強度で遊技球が発射される。
【００４７】
遊技者がよく狙う到達場所としては、先ず、遊技終了時に一体皿１４内に余った遊技球を一体皿１４から抜くために狙う「ファール領域」がある。発射した遊技球を遊技領域５まで到達させずに、誘導レール内を逆戻りさせて一体皿１４から遊技球を排出させるために狙う領域である。また、通常の遊技時に最もよく狙う場所である、いわゆる「ぶっ込み領域」と「天釘中央」がある。また、大当たり時のゲーム仕様として要求される、いわゆる「右打ち」がある。尚、遊技終了時もしくは電源投入直後で遊技者が全く操作を行なっていない状態では、発射装置から遊技球が打ち出されない「初期状態」になっている。
【００４８】
設定操作部３０には、予め設定された到達場所（以下、プリセットポジションともいう）として、上記の場所が「レール内」４２、「ぶっ込み」４３、「天」４４、「右打ち」４５と表示されている。また、プリセットポジションとして表示されないが、発射装置から遊技球が打ち出されない「初期状態」がある。電源投入直後や遊技終了後の非遊技時には初期状態になっており、ワープスイッチ４１を押し操作すると「初期状態」→「レール内」→「ぶっ込み」→「天」→「右打ち」→「天」→「ぶっ込み」→「レール内」→「ぶっ込み」の順で選択され、その後は「ぶっ込み」→「天」→「右打ち」→「天」→「ぶっ込み」→「レール内」→「ぶっ込み」とサイクリックに選択される。「初期状態」でアームレスト部３２が回転され、遊技者が設定操作部３０に手を置いてスイッチ３３が受け付け状態になった後、ワープスイッチ４１が押し操作されると、先ず最初にプリセットポジション「レール内」が選択され、遊技球を「レール内」に到達させるための予め設定されているデジタルデータが設定操作部３０に設けられた制御回路内で読み出される。読み出されたデジタルデータはＤ／ＡコンバータによってＤＣ電圧に変換され、この電圧により発射装置のソレノイドが励磁されると共に、その励磁力による発射強度で遊技球が発射される。読み出されるデジタルデータについては後述する。尚、この形態では、アームレスト部３２が回転されてスイッチ３３が受け付け状態になっても、ワープスイッチ４１が押し操作されない限り発射装置から遊技球は発射されない。従って、ワープスイッチ４１は、遊技球を発射開始させる遊技開始スイッチとしての機能も兼ね備えている。
【００４９】
スイッチ３３が受け付け状態になった後、ワープスイッチ４１が１度押し操作されると、上述のように遊技球はプリセットポジション「レール内」に到達する発射強度で発射されるが、さらにワープスイッチ４１が押し操作されると、プリセットポジション「ぶっ込み」が選択され、遊技球を「ぶっ込み」領域に到達させるための予め設定されているデジタルデータが読み出され、上述の「レール内」の場合と同様に発射装置のソレノイドが励磁され遊技球が発射される。同様にして、さらにワープスイッチ４１が押し操作されると、プリセットポジション「天」、プリセットポジション「右打ち」が順次選択され、遊技球をそれぞれの場所「天」、「右打ち」に到達させるための予め設定されているデジタルデータが読み出され、遊技球が発射される。
【００５０】
また、プリセットポジション「右打ち」が選択されている状態からさらにワープスイッチが押し操作されると、次は１つ戻ってプリセットポジション「天」が選択される。そして、さらにワープスイッチ４１が押し操作されると、プリセットポジション「ぶっ込み」、プリセットポジション「レール内」が順次選択され、プリセットポジション「レール内」が選択されている状態からさらにワープスイッチが押し操作されると、次はプリセットポジション「ぶっ込み」が選択される。このようにワープスイッチ４１を押し操作するだけで、ソレノイドを励磁し遊技球を発射させる電圧は、先に選択されていたプリセットポジションの電圧値から新たに選択されたプリセットポジションの電圧値に置き換えられ、その置き換えられた電圧によって遊技球は、予め定められた場所、即ち、新たに選択されたプリセットポジションに到達する発射強度で発射装置から発射される。従って、ハンドルの回転角度を遊技者が調整することによって目的の場所、例えば、上述の「ぶっ込み」、「天」、「右打ち」に遊技球を到達させる場合に比べて、遊技者の発射強度操作は遥かに容易なものとなり、遊技球を目的の場所に到達させるまでの無駄打ち球を減少させることができる。また、１つのワープスイッチ４１の押し操作のみで複数のプリセットポジションを選択することができるので、設定操作部３０に設けるスイッチの数を少なくすることができる。
【００５１】
設定操作部３０には、遊技球の飛距離の目安を表示するレベルメータ４６が設けられている。レベルメータ４６は、現在の遊技状態における遊技球の飛距離を、例えば、帯状に設けられた表示ランプによって遊技者に報知するためのものである。最小飛距離の遊技状態をレベルメータ４６の左端の表示ランプの点灯によって報知し、遊技球の飛距離が大きくなるに従って点灯される表示ランプの数が増えて、点灯表示ランプの帯は右方向へ長くなって報知する。そして最大飛距離の遊技状態をレベルメータ４６の左端から右端までの全ての表示ランプの点灯によって報知する。ここで、最小飛距離とは、発射された遊技球の飛距離が略ゼロのことをいい、最大飛距離とは、図１において遊技領域５の右上部分に設けられた返しゴム２９の位置まで発射された遊技球が到達する飛距離のことをいう。図７に示すレベルメータ４６は、左端から矢印Ｅで示す位置までの表示ランプが点灯しており、ワープスイッチ４１によってプリセットポジション「ぶっ込み」が選択され、発射装置から発射される遊技球がぶっ込み領域まで到達することを表わしている。ワープスイッチ４１によってその他のプリセットポジション「レール内」、「天」、「右打ち」が選択されると、それぞれの飛距離を報知する予め定められた位置までの表示ランプが点灯する。また、このレベルメータ４６による発射強度表示は、発射一時停止状態に設定されると、その設定されている期間中は、点滅制御に変化され、現在設定されている遊技球の飛距離が点滅表示によって遊技者に報知される。
【００５２】
設定操作部３０には、発射装置から発射される遊技球の飛距離を調整するための発射強度調整手段としての飛距離調整スイッチ４７、４８が設けられている。飛距離調整スイッチは、飛距離の増加調整を行なうＵＰ（アップ）調整スイッチ４７と、飛距離の減少調整を行なうＤＯＷＮ（ダウン）調整スイッチ４８から構成されている。上述したようにワープスイッチ４１によっていずれかのプリセットポジションが選択されると、その選択されたプリセットポジションの発射強度を調整開始点として遊技球の飛距離調整が行なわれる。例えば、ワープスイッチ４１によってプリセットポジション「ぶっ込み」が選択されると、「ぶっ込み」領域に遊技球を発射させる発射強度を調整開始点として遊技球の飛距離調整、つまり発射装置のソレノイドを励磁するＤＣ電圧の調整が行なわれる。飛距離調整スイッチ４７、４８による遊技球の飛距離調整範囲は、プリセットポジション「ぶっ込み」が選択された場合、その発射強度を調整開始点としてＵＰ調整スイッチ４７の操作により、発射された遊技球が最大飛距離に達するまで調整できる。また、ＤＯＷＮ調整スイッチ４８の操作により、発射された遊技球が最小飛距離（略「００」）になるまで調整できる。
【００５３】
この発射強度の調整開始点および遊技球の飛距離調整範囲は、ワープスイッチ４１によって他のプリセットポジション「レール内」、「天」、「右打ち」が選択された場合にも同様であり、選択されたそれぞれの「レール内」、「天」、「右打ち」に遊技球を発射させる発射強度を調整開始点として遊技球の飛距離調整、つまり発射装置のソレノイドを励磁するＤＣ電圧が調整され、また、その発射強度を調整開始点としてＵＰ調整スイッチ４７の操作により、発射された遊技球が最大飛距離に達するまで、ＤＯＷＮ調整スイッチ４８の操作により、発射された遊技球が最小飛距離になるまで調整できる。即ち、ワープスイッチ４１によっていずれのプリセットポジションが選択された場合にも、ＵＰ調整スイッチ４７とＤＯＷＮ調整スイッチ４８の操作により、選択された発射強度を調整開始点として最小飛距離から最大飛距離までの調整、つまり、遊技領域全範囲に遊技球を到達させる調整ができる。
【００５４】
上述したように、ソレノイドを励磁して遊技球を発射させるための電圧は、ワープスイッチ４１を押し操作することにより、先に選択されていたプリセットポジションの電圧値から新たに選択されたプリセットポジションの電圧値に置き換えられ、遊技球はその置き換えられた電圧によって発射装置から発射される。このワープスイッチ４１の押し操作に対するプリセットポジションの電圧値の置き換えは、ＵＰ調整スイッチ４７およびＤＯＷＮ調整スイッチ４８の操作によって遊技球の発射強度、即ち、ソレノイドを励磁する電圧値が変化された場合にも同様に行なわれる。
【００５５】
例えば、ワープスイッチ４１によってプリセットポジション「ぶっ込み」が選択されると、遊技球は、「ぶっ込み」領域に発射させる発射強度、つまり「ぶっ込み」領域に到達するソレノイド励磁電圧によって発射される。この状態からＵＰ調整スイッチ４７またはＤＯＷＮ調整スイッチ４８が操作されると、ソレノイドを励磁する電圧が変化し遊技球の発射強度は変化する。そして、このＵＰ調整スイッチ４７あるいはＤＯＷＮ調整スイッチ４８によって遊技球の発射強度が変化した状態においてワープスイッチ４１が押し操作されると、上述したプリセットポジションの順である「レール内」→「ぶっ込み」→「天」→「右打ち」→「天」→「ぶっ込み」→「レール内」に従って、現在ワープスイッチによって選択されているプリセットポジション「ぶっ込み」の次のプリセットポジションである「天」が選択され、遊技球は、「天」に発射させる発射強度、つまり「天」に到達するソレノイド励磁電圧によって発射される。
【００５６】
ワープスイッチ４１が押し操作されることによって、ＵＰ調整スイッチ４７またはＤＯＷＮ調整スイッチ４８により調整されていた発射強度、即ち、ソレノイドを励磁する電圧値が、それまでワープスイッチ４１によって選択されていたプリセットポジションの次のプリセットポジションのソレノイドを励磁する電圧値に変換されて、遊技球の発射が継続される。尚、ワープスイッチ４１が選択されたとき等に行なわれるソレノイド励磁電圧値の変換については、ＵＰ調整スイッチ４７およびＤＯＷＮ調整スイッチ４８の操作によってデジタルデータを増加あるいは減少させ、そのデジタルデータをＤ／Ａコンバータでアナログ電圧に変換して調整しているが、この調整内容については後述する。
【００５７】
設定操作部３０には、遊技を停止させるため、及び遊技の停止を解除するための発射停止スイッチ（ＳＴＯＰスイッチ）４９が設けられている。発射停止スイッチ４９を操作することにより、発射装置の発射駆動を停止あるいは開始させ、遊技球の発射を停止あるいは開始させることができる。即ち、設定操作部３０のスイッチ３３の操作が行なわれ、遊技球が所定の発射強度で発射されている状態において、発射停止スイッチ４９が操作されると、発射装置の発射駆動は停止され、その停止した状態において発射停止スイッチ４９が操作されると、発射停止状態は解除され発射装置の発射駆動が開始される。この場合、遊技球が所定の発射強度で発射されている状態とは、スタンバイスイッチ２３を有している形態では、スタンバイスイッチ２３がオン状態にあり、遊技者が設定操作部３０あるいは腕置き部３６のタッチ検出部３０ａあるいは３６ａに接触した状態における発射状態をいい、スタンバイスイッチ２３を有していない形態では、リセットスイッチ２４がオフ状態にあり、遊技者がタッチ検出部３０ａあるいは３６ａに接触した状態における発射状態をいう。
【００５８】
また、発射停止スイッチ４９の操作は、設定操作部３０のスイッチ３３の操作の有無に拘わらず受け付けられるように設定されている。設定操作部３０のスイッチ３３が操作受け付け可能状態となっているにも拘わらず遊技球の発射強度が未だ調整されず遊技球が発射されていない状態において発射停止スイッチ４９が操作されると、発射装置の発射駆動は停止され、その停止した状態において再度、発射停止スイッチ４９が操作されると、発射停止状態は解除され発射装置の発射駆動が開始される。尚、設定操作部３０のスイッチ３３が操作受け付け可能状態となっているにも拘わらず遊技球の発射強度が未だ調整されていないときは、発射装置の無駄な駆動を防止するために発射駆動を停止しておくようにしてもよい。
【００５９】
また、図４および図５において上述したように、設定操作部３０のスイッチ３３の操作が行なわれて設定された強度で遊技球が発射されている状態において、遊技者が設定操作部３０および腕置き部３６のタッチ検出部３０ａおよび３６ａから非接触状態となると、発射強度操作装置１７の可動アーム３５が「倒」状態から「立」状態の方向へ回転を開始し、リセットスイッチ２４がオン状態となるまでの間は設定されていた発射強度が記憶され保持されたまま、発射装置の発射駆動は停止されて強制的一時停止状態になる。この状態において発射停止スイッチ４９が操作された場合、発射停止スイッチ４９の操作による発射一時停止状態に置き替えられ、前記強制的一時停止状態は解除されるが遊技球が発射開始されることはない。このとき前記記憶され保持されている発射強度はそのまま記憶され続け後述するように予め定められている所定時間だけ保持される。従って、この期間は、可動アーム３５が「立」状態になってリセットスイッチ２４がオン状態になっても、保持されている発射強度はリセットされることはない。
【００６０】
また、可動アーム３５が「立」状態となりリセットスイッチ２４がオン状態となって遊技球の発射強度がリセットされると共に、発射装置の発射駆動も停止状態とされている場合には、発射停止スイッチ４９が操作されると、発射装置の発射駆動を停止するように制御され、この状態から再度、発射停止スイッチ４９が操作されると、発射停止状態は解除され発射装置の発射駆動が開始される。発射強度がゼロの状態にあるため、発射駆動を行なっても発射装置から遊技球が発射されることはないが、発射停止スイッチ４９が操作されると発射装置の発射駆動の停止と開始状態は切り替わっている。
【００６１】
設定操作部３０のスイッチ３３のうち、発射停止スイッチ４９を除いたワープスイッチ４１、飛距離調整ＵＰスイッチ４７、飛距離調整ＤＯＷＮスイッチ４８のキートップ部分にもタッチセンサが設けられタッチ検出部３０ａを構成しており、人体の接触を検出することができる構造になっている。スイッチの構造は、スイッチを２重構造のメンブレンスイッチとし、キートップ部分に軽く触れる（フェザータッチ）と人体接触を検出し、さらに強く押し込むとスイッチ機能（ワープスイッチ４１ではプリセットポジションの選択、飛距離調整ＵＰスイッチ４７では発射強度の増加調整、飛距離調整ＤＯＷＮスイッチ４８では発射強度の減少調整）を作動させるための操作であることを検出する。もしくは、キートップを導電体（金属、導電プラスチック等）で構成し静電式タッチスイッチの検出プレートとすることで、キートップに触れると人体接触の検出が行なわれ、スイッチを押し込むと上記と同様にスイッチ機能を作動させるための操作であることを検出することができる。このようにすることで、遊技者が操作を行っているときは確実に人体の接触を検出することができるようにし、例えば、設定操作部３０のスイッチ周辺部分に触れないで、スイッチ部分に直接触れるような行為を行なった場合でも、人体接触を検出することができる。以降、「遊技者が設定操作部３０に接触する」とは、特に説明のない場合は「遊技者が設定操作部３０の発射停止スイッチ４９を除いたタッチ検出部３０ａに接触する」ことをいう。また、「遊技者が腕置き部３６に接触する」とは、特に説明のない場合は「遊技者が可動アーム３５の腕置き部３６のタッチ検出部３０ａに接触する」ことをいう。
【００６２】
発射装置の発射駆動の停止には上記のように、遊技者が設定操作部３０および腕置き部３６から非接触状態となり可動アーム３５が「倒」状態から「立」状態に移行するまでの間の強制的一時停止状態と、発射停止スイッチ４９の操作による発射一時停止状態とがある。そして、強制的一時停止状態を解除するには、スタンバイスイッチ２３とリセットスイッチ２４を備えた形態では、リセットスイッチ２４がオン状態となる前に可動アーム３５を「倒」状態にしてスタンバイスイッチ２３をオン状態にするか、そのまま放置して可動アーム３５を「立」状態にしリセットスイッチ２４をオン状態にすればよい。前者の場合には非接触状態になったときに発射強度が設定されていれば、強制的一時停止状態が解除された後その強度で遊技球が発射され、後者の場合には強制的一時停止状態が解除されると共に、発射強度がリセットされる。また、リセットスイッチ２４のみを備えた形態では、リセットスイッチ２４がオン状態となる前に設定操作部３０あるいは腕置き部３６に接触するか、そのまま放置して可動アーム３５を「立」状態にしリセットスイッチ２４をオン状態にすればよい。そしてこの形態でも、前者の場合には非接触状態になったときに発射強度が設定されていれば、強制的一時停止状態が解除された後その強度で遊技球が発射され、後者の場合には強制的一時停止状態が解除されると共に、発射強度がリセットされる。
【００６３】
一方、発射一次停止状態は、リセットスイッチ２４による機能よりも優先して作用する。即ち、発射一時停止状態を解除するには、前記のように発射停止スイッチ４９を再度、操作する他、発射一時停止状態となった後に遊技者が設定操作部３０および腕置き部３６から手を離して非接触状態になった場合には、たとえ可動アーム３５が「立」状態に戻ってリセットスイッチ２４がオン状態になっていたとしても、スタンバイスイッチ２３とリセットスイッチ２４を備えた形態では、可動アーム３５を「倒」状態にすることでスタンバイスイッチ２３をオン状態にし、且つ、設定操作部３０および腕置き部３６に対して接触状態となればよく、また、リセットスイッチ２４のみを備えた形態では、可動アーム３５を倒してリセットスイッチ２４をオフ状態にし、且つ、設定操作部３０および腕置き部３６に対して接触状態となればよい。このように発射一時停止状態が解除された場合には、もとの（一時停止前の）発射強度を再取得して、その強度で発射が行われる。そして、後述のように、発射一時停止状態で且つ非接触状態になっていられる時間は制限されているが、その時間内であれば可動アーム３５が「立」状態に戻ってリセットスイッチ２４がオン状態になっても、発射一時停止状態となる寸前の発射強度はリセットされることはない。即ち、発射停止スイッチ４９を操作して発射一時停止状態になった後に、例えば、遊技者が小休止をするために遊技していたパチンコ機の席を離れ、設定操作部３０および腕置き部３６に対して非接触状態になり、リセットスイッチ２４がオン状態になっても、その後、席に戻って再び遊技を開始するために設定操作部３０あるいは腕置き部３６に接触する（上記のように可動アーム３５を操作する）ことで発射一時停止状態を解除することができる。
【００６４】
発射停止スイッチ４９は、通常はスイッチの接点が開いていて（オフ状態で）、押し操作している期間はスイッチが閉じる（オン状態になる）、いわゆるモーメンタリースイッチ構造を有しているものを使用する。また、その他、人体の接触を検出するタッチスイッチを使用することもできる。尚、スナップスイッチ、ロッカースイッチ等のように、接点状態が操作状態によってオン／オフのいずれか一方の状態に固定され、且つ、その状態が操作者に目視確認できる構造のものは発射停止スイッチとしては不適当である。その理由は、本実施の形態では、遊技者が発射停止スイッチを用いて発射一時停止状態に設定した後、遊技者が一旦、発射強度操作部から非接触状態になり、その後、再度発射強度操作部に対して接触状態になると、一時停止状態以前の発射強度を再取得して遊技球の発射を再現（発射一時停止状態の解除）できる制御、もしくは、遊技者が一旦、発射強度操作部から非接触状態になり、発射一時停止状態に設定したまま遊技を終了すると、予め定められた時間の経過に伴なって発射一時停止状態が強制的に初期化される（電源投入後の何も操作されていない状態になる）制御が行なわれている（詳しくは後述する）ため、オン／オフ状態が固定化され、且つ、目視上明示される仕様のスイッチは、初期化（一時停止状態も初期化される）動作後に、スイッチ状態との間に不一致が生じるので不適当だからである。例えば、一時停止スイッチをオンにして一時停止状態とし、その後、一度、非接触状態になり、さらに再接触して一時停止状態を解除した場合、若しくは、予め定められた時間が経過して一時停止状態が初期化された場合、スイッチは一時停止側に固定されたままで不一致が生じる。
【００６５】
設定操作部３０のスイッチ３３が操作され、遊技球が所定の発射強度で発射されている状態において発射停止スイッチ４９が操作されると、発射装置の発射駆動が停止されると共に、発射停止スイッチ４９が操作された時点の発射装置から発射されていた遊技球の発射強度が一時的に保持される。発射強度は、設定操作部３０内部の制御回路のプリセット付きＵＰ／ＤＯＷＮカウンター９５（図１１で後述する）にデジタルデータとして書き込まれ保持される。この発射強度のデジタルデータは、遊技者が発射停止スイッチ４９を操作した後に設定操作部３０または腕置き部３６に対して接触したままの状態であっても、あるいは非接触状態となっても継続して保持される。そして、設定操作部３０および腕置き部３６に対して接触したままの状態（スタンバイスイッチ２３を備えている場合にはこのスイッチがオンした状態をいう）のときは、次に発射停止スイッチ４９が操作されて新しい発射強度のデジタルデータに更新されるまでプリセット付きＵＰ／ＤＯＷＮカウンター９５に保持され、非接触状態になったときは、予め定められている所定の時間だけ保持される。
【００６６】
前記発射停止スイッチ４９が操作され発射装置の発射駆動が停止された後に遊技者が設定操作部３０または腕置き部３６に対して接触したままの状態で、再度、発射停止スイッチ４９が操作されると、発射装置の発射駆動の停止が解除され（発射駆動が開始され）ると共に、プリセット付きＵＰ／ＤＯＷＮカウンター９５に保持されていた発射強度のデジタルデータが読み出され、その発射強度で遊技球が発射装置から発射される。即ち、遊技者は、発射停止スイッチ４９の操作によって一旦、遊技球の発射を停止させたとしても、設定操作部３０または腕置き部３６に接触したまま再度、発射停止スイッチ４９を操作することにより、発射を停止させた時点の遊技球の発射強度で遊技を再開することができる。
【００６７】
また、前記発射停止スイッチ４９が操作され発射装置の発射駆動が停止された後に、遊技者が設定操作部３０および腕置き部３６に対して非接触状態となり、その後、再度、遊技者が設定操作部３０または腕置き部３６に接触すると共に可動アーム３５を所定の位置まで操作した場合にも、発射装置の発射駆動の停止が解除され（発射駆動が開始され）ると共に、プリセット付きＵＰ／ＤＯＷＮカウンター９５に保持されていた発射強度のデジタルデータによって遊技球が発射装置から発射される。ここで前記所定の位置とは、スタンバイスイッチ２３を備えている場合にはこのスイッチ２３がオン状態となる位置、リセットスイッチ２４のみを備えている場合にはこのスイッチ２４がオフ状態となる位置をいう。即ち、遊技者は、発射停止スイッチ４９の操作によって一旦、遊技球の発射を停止させ、その後さらにパチンコ機から離れる等して、設定操作部３０から手を離し非接触状態になっても、再度、設定操作部３０または腕置き部３６に接触すると共に可動アーム３５を所定の位置まで操作することにより、発射を停止させた時点の遊技球の発射強度で遊技を再開することができる。
【００６８】
但し、遊技を一時停止状態に設定した後、設定操作部３０および腕置き部３６に対して非接触状態で居られる時間は予め設定されており、その設定された時間を経過した場合には、プリセット付きＵＰ／ＤＯＷＮカウンター９５に保持されていた発射強度のデジタルデータは強制的にリセットされ、再度、遊技者が上記操作を行ったとしても、発射駆動の停止は解除されるものの、発射を停止させた時点の遊技球の発射強度で遊技を再開することはできない。設定された時間の測定は、タイマーカウンタのカウントにより行なわれ、発射停止スイッチ４９の操作で発射装置の発射駆動が停止された後に、遊技者が設定操作部３０および腕置き部３６に対して非接触状態となった時点からカウント開始される。
【００６９】
このように遊技者の意思によって発射停止スイッチ４９を操作することにより容易に遊技球の発射を停止させ遊技を一時停止させることができると共に、遊技を停止させた時点の遊技球の発射強度で遊技を再開させることができる。従って、遊技中に図柄始動記憶メモリの記憶状態が最大数に達し、図柄変動のメモリ消化を図る場合、あるいは、画像演出が工夫されている図柄変動を遊技者がじっくり鑑賞しようとする場合等にも容易に対応することができる。また、電話、トイレ、コーヒー等の小休止のためにパチンコ機から離れる場合にも、発射停止スイッチ４９の操作により容易に遊技を一時停止させることができ、その後パチンコ機に戻って設定操作部３０に接触すると共に可動アーム３５を所定の位置に操作するだけで発射停止スイッチ４９を操作する直前の発射強度で遊技球を発射させることができるので、再度の発射強度の調整をすることがなく、発射強度調整時の無駄球を無くすことができる。
【００７０】
遊技者が、遊技球の発射を一時停止状態のままでパチンコ機を離れ、一時停止状態を解除しないで遊技を終了すると、そのパチンコ機は遊技が行なわれないまま前記遊技者に占有された状態になり、そのパチンコ機で遊技したい他の遊技者の遊技の機会を妨害するだけでなく、パチンコホールの売上を減少させる等の不利益を及ぼすことになる。そこで、予めパチンコホール側で一時停止時間、例えば、遊技者が遊技を一時停止してパチンコ機から離れ小休止することができる時間等を設定しておき、その設定時間が経過したら強制的に一時停止状態を初期化するようにした。これによりパチンコ機が遊技されないのに特定の遊技者によって不当に長い時間占有されるという不合理を防止することができる。
【００７１】
図１に戻って、ガラス枠４の右上部には、発射停止スイッチ４９の操作状態を報知する表示灯からなる報知手段２２が設けられている。発射停止スイッチ４９が操作され発射装置の発射駆動が停止されて遊技球の発射が停止状態となっている発射一時停止期間中は、ＬＥＤ等からなる表示灯２２が点灯または点滅されて、他の遊技者やパチンコホールの従業員にその旨が報知される。また、発射一時停止状態であることを遊技者に対してより確実に報知するために、前記表示灯２２による報知とは別に、設定操作部３０に設けられているレベルメータ４６の表示ランプが点滅表示されて報知される。遊技者は、遊技球を発射させている遊技中に、そのときの遊技球の発射強度を保持しながら一時的に遊技球の発射を停止させたい場合には、設定操作部３０に接触したままの状態で発射停止スイッチ４９を操作することにより、遊技者の意思で発射装置の発射駆動を停止させ遊技球の発射を停止させることができ、その操作状態は表示灯２２の点灯または点滅により外部に報知される。また、前記表示灯２２による報知とは別に、設定操作部３０に設けられているレベルメータ４６の表示ランプの点灯表示（設定されている発射強度のレベルを示すために点灯されている表示ランプの点灯表示）が点滅表示に変化され、遊技者に対して確実に報知される。この発射駆動が停止された状態は、遊技者の意思により再度、発射停止スイッチ４９を操作することによって解除することができる。発射駆動の停止解除に伴なって表示灯２２の点灯または点滅表示は停止され、消灯表示される。また、設定操作部３０に設けられているレベルメータ４６の表示ランプの点滅表示が点灯表示に戻る。
【００７２】
また、その後もそのパチンコ機で遊技を継続する意思はあるが、一旦、遊技を中止してパチンコ機から離れたい場合（トイレ休憩、電話等の用事がある場合）には、遊技者の意思で発射停止スイッチ４９を操作することにより発射装置の発射駆動を停止させると共に、表示灯２２を点灯または点滅させて休息期間であることを外部に報知することができる。同時に設定操作部３０に設けられているレベルメータ４６の表示ランプの点灯表示が点滅表示に変化することで一時停止状態であることを遊技者に報知する。この発射駆動が停止した状態は、遊技者の意思によって再度、発射停止スイッチ４９を操作することにより、あるいはパチンコ機を離れることによって設定操作部３０から非接触状態になった後に、再度、設定操作部３０に手を載せる等して接触することにより解除することができる。発射駆動の停止解除に伴なって表示灯２２の点灯または点滅表示は停止され、消灯表示される。また、設定操作部３０に設けられているレベルメータ４６の表示ランプの点滅表示が点灯表示に戻る。
【００７３】
また、発射停止スイッチ４９の操作に対応した発射停止スイッチ４９の操作状態を報知する信号、即ち、遊技球の発射状況を報知する信号がパチンコ機から出力されている。この出力信号はホール管理コンピュータに入力されており、ホール側はこの信号をモニタすることにより各パチンコ機の遊技球の発射状況をリアルタイムに把握することができ、遊技者の単発打ち、変則打ち等の遊技を識別して不正遊技を防止することができる。
【００７４】
図８は、設定操作部３０の他の一形態を示すものである。この形態は、図７に示す形態のＵＰ調整スイッチ４７およびＤＯＷＮ調整スイッチ４８に対応するものとして、ロータリーエンコーダ６１を設けている。ロータリーエンコーダ６１のレバーを左右に回転させることにより、または上下に回転させることにより、遊技球の発射強度、即ち、ソレノイドを励磁する電圧値を変化させることができ、遊技領域全範囲に遊技球を到達させる調整を行なうことができる。その他の機能については、図７に示すＵＰ調整スイッチ４７およびＤＯＷＮ調整スイッチ４８と同様である。
【００７５】
図９から図１２は、図１に示すパチンコ機１の制御手段による遊技球発射駆動の制御ブロック図の一形態である。以下、この制御手段による制御内容をブロック図に基づいて説明する。
パチンコ機１は、図２から図８に基づいて上述したように、発射強度操作装置１７の設定操作部３０を操作することにより遊技球の発射強度をデジタルデータによって設定するものである。また、検出手段としてスタンバイスイッチ２３とリセットスイッチ２４が設けられ、発射停止スイッチ４９にラッチ機能を持たせるようにしたものである。
図９に示される、モーメンタリー構造を有した発射停止スイッチ４９が操作されると、その操作状態を表わす信号が検出される。この検出信号により発射装置の発射駆動の停止および停止解除（発射駆動の開始）が制御されている。発射停止スイッチ４９の操作に伴なって発生した信号は、積分回路から構成されるノイズ、チャタリング除去回路７０に入力されノイズ及びチャタリングが除去される。また、信号は波形整形されると共に、この形態では後段の回路動作の都合上、論理反転されてノイズ、チャタリング除去回路７０から出力される。
【００７６】
ノイズ、チャタリング除去回路７０から出力された信号は、トグルタイプのフリップフロップ７１に入力される。トグルタイプのフリップフロップ７１は、状態の変化、この形態では入力信号のロー（Ｌｏｗ）状態からハイ（Ｈｉｇｈ）状態への立ち上がりを同期として、その出力（ＱおよびＱの反転出力Ｑ'）の状態が切り替わるように構成されており、切り替わった出力の状態は次の入力信号の切り替わり（立ち上がり）まで維持される。即ち、遊技者により発射停止スイッチ４９が操作されると、フリップフロップ７１の出力はロー状態からハイ状態またはハイ状態からロー状態に切り替わり、その切り替わった出力状態は次に発射停止スイッチ４９が操作されるまで原則として維持される。そして、このフリップフロップ７１の出力信号を使用することにより、一度の発射停止スイッチ４９の操作により発射装置の発射駆動の停止と開始とが交互に切り替えられ、遊技者が発射停止スイッチ４９の操作の後に発射停止スイッチ４９から手を離しても、切り替えられた発射駆動の停止状態または開始状態は、遊技者が次に発射停止スイッチ４９を操作するまで、原則として電子的に保持（ラッチ）される。
【００７７】
ところで、フリップフロップ７１にはパチンコ機１の電源投入時に電源回路からリセット信号（パワーオンリセット信号）７２が入力される。パワーオンリセット信号７２が入力されるとフリップフロップ７１の出力は、出力Ｑ（Ｔ−ＦＦのＱ（Ｅ））がロー状態、出力Ｑ'（Ｔ−ＦＦのＱ'（Ｆ））がハイ状態の初期状態にセットされる。また、フリップフロップ７１には、遊技者が設定操作部３０および腕置き部３６に対して非接触状態から接触した状態に変化したときにも、タッチオン開始検出信号としてリセット信号７３が入力される。さらに、フリップフロップ７１には、ワンショットパルス出力回路１０５から出力された信号ＴＵ（タイムアップパルス（後述する））が入力される。
【００７８】
リセット信号７３は、設定操作部３０および腕置き部３６の検出部３０ａおよび３６ａに内蔵されたタッチセンサ７４によって設定操作部３０あるいは腕置き部３６に対する遊技者の接触が検出されると発生される。遊技者が設定操作部３０あるいは腕置き部３６に接触しその接触がタッチセンサ７４によって検出されると、その検出信号は積分回路から構成されるノイズ、チャタリング除去回路７５に入力され、ノイズ及びチャタリングが除去される。また、検出信号は波形整形されると共に、この形態では後段の回路動作の都合上、論理反転されてノイズ、チャタリング除去回路７５から出力されている。ノイズ、チャタリング除去回路７５から出力される信号の切り替わりエッジを同期として、即ち、設定操作部３０または腕置き部３６へのタッチオン開始を同期としてワンショットパルスが生成され、このパルス信号がリセット信号７３としてフリップフロップ７１に入力される。
【００７９】
パワーオンリセット信号７２とリセット信号７３とタイムアップパルスは、オア（ＯＲ）回路７６に入力され、そのオア回路７６の出力（ＲＳＴ１（Ｇ））がフリップフロップ７１のリセット端子に入力されている。従って、フリップフロップ７１は、パワーオンリセット信号７２、リセット信号７３、あるいはタイムアップパルスのいずれかが発生されたときに初期状態にセットされる。つまり、フリップフロップ７１はパチンコ機１の電源が立ち上がる度に、あるいは設定操作部３０または腕置き部３６が遊技者によって新たにタッチされる度に、またあるいはタイムアップパルスが発生される度に毎回、初期状態にセットされる。
【００８０】
発射停止スイッチ４９の操作は常時受け付けられるように設定されている。即ち、遊技者が設定操作部３０にタッチしているか否かに拘わらず受け付けられるように設定されている。そして、フリップフロップ７１にはこの発射停止スイッチ４９の操作に伴なって発生する信号が入力されているため、フリップフロップ７１の出力も遊技者が設定操作部３０にタッチしているか否かの状態に拘わらず切り替わることになる。
【００８１】
フリップフロップ７１の出力Ｑと点滅変調用クロック７７は、アンド（ＡＮＤ）回路７８に入力され、アンド回路７８の出力はドライバー７９を介して発射停止スイッチ４９の操作状態を報知する表示灯２２に接続されている。点滅変調用クロック７７は、表示灯２２の点滅周期を決定するクロックであり、例えば、５００ｍｓｅｃ毎に切り替わるロー（Ｌｏｗ）信号とハイ（Ｈｉｇｈ）信号から形成されている。従って、発射停止スイッチ４９が操作されて発射装置の発射駆動が停止されフリップフロップ７１の出力Ｑがハイ状態になっている期間中、即ち、発射装置からの遊技球の発射が一時停止されている期間中は、点滅変調用クロック７７の周期によって表示灯２２が点滅表示され、その旨が報知される。また、一時停止状態を遊技者自身にも認識させるために、一時停止スイッチ４９のキートップを点滅させるようにしてもよい。さらに、アンド回路７８の出力をインバータを介してドライバーに接続し、表示灯４４を駆動するようにしてもよい。このとき表示灯４４は、通常は点灯しており、一時停止状態では点滅する。
【００８２】
発射停止スイッチ４９の操作によって停止状態となった発射駆動の停止解除、即ち、発射一時停止状態の解除は、再度、発射停止スイッチ４９を操作することにより行うことができる他、遊技者が再度、設定操作部３０あるいは腕置き部３６にタッチすることによっても行うことができる。それまで設定操作部３０および腕置き部３６に遊技者が接触していなかった状態において、設定操作部３０あるいは腕置き部３６への遊技者の接触がタッチセンサ７４によって検出されると、リセット信号７３がフリップフロップ７１に入力されフリップフロップ７１は初期状態にセットされる。フリップフロップ７１が初期状態にセットされると、フリップフロップ７１の出力Ｑと出力Ｑ'の状態は、発射停止スイッチ４９の操作により発射停止が解除されたときの出力Ｑと出力Ｑ'の状態と同じになる。即ち、遊技者が設定操作部３０にタッチすることによりフリップフロップ７１をリセットすることができ、パチンコ機が発射一時停止状態になっている場合にはその発射一時停止を解除することができる。
【００８３】
上述したように発射停止スイッチ４９は遊技者が設定操作部３０にタッチしているか否かに拘わらず受け付けられるよう設定されているので、例えば、遊技者が設定操作部３０にタッチしているときに発射停止スイッチ４９の操作によって発射一時停止状態がセットされた場合には、一旦、遊技者が設定操作部３０から手を離した後に、再度、設定操作部３０にタッチすることにより発射一時停止を解除することができ、また、遊技者がパチンコ機台の仮予約等の為に、そのパチンコ機台の前の椅子に座り設定操作部３０にタッチする前に発射停止スイッチ４９の操作によって発射一時停止状態にセットした場合には、次に遊技者が遊技を行うためにそのパチンコ機台の前の椅子に座り設定操作部３０にタッチすることにより発射一時停止を解除することができる。
【００８４】
図１０に示される、発射強度操作装置１７に設けられたリセットスイッチ（ＲＳＴスイッチ）２４の状態を表わす信号ＲＳＴ（Ｋ）は、遊技球の発射強度をリセットするために使用される信号であり、後述するアンド回路１１０に入力される。ＲＳＴ（Ｋ）信号は、積分回路から構成されるノイズ、チャタリング除去回路８８に入力されノイズ及びチャタリングが除去される。また、信号は波形整形されると共に、この形態では後段の回路動作の都合上、論理反転されてノイズ、チャタリング除去回路８８から出力される（ＲＳＴ（Ｌ））。可動アーム３５が「立」状態となりリセットスイッチ２４がオン状態になると、ＲＳＴ（Ｋ）信号はロー状態となり、ＲＳＴ（Ｌ）信号はハイ状態となる。
【００８５】
また、発射強度操作装置１７に設けられたスタンバイスイッチ（ＳＴＢＹスイッチ）２３の状態を表わす信号ＳＴＢＹ（Ｎ）は、発射装置の発射駆動の開始・停止を制御するため、発射強度受付状態を制御するため、あるいは可動アーム３５の「倒」状態の保持制御をするために使用される信号である。ＳＴＢＹ（Ｎ）信号は、積分回路から構成されるノイズ、チャタリング除去回路８９に入力されノイズ及びチャタリングが除去される。また、信号は波形整形されると共に、この形態では後段の回路動作の都合上、論理反転されてノイズ、チャタリング除去回路８９から出力される（ＳＴＢＹ（Ｏ））。
【００８６】
ノイズ、チャタリング除去回路８９から出力された信号ＳＴＢＹ（Ｏ）は、アンド回路１０６に入力される。また、アンド回路１０６には、ノイズ、チャタリング除去回路７５の出力信号ＴＣＨ（Ｄ）が入力されている。アンド回路１０６の出力信号ＬＶＣ（Ｑ）は、ドライバー１０７を介して出力され、遊技球の発射強度を調整するスイッチ３３の操作が受け付け可能状態にあるか否かを報知するための強度調整可能表示灯１８を制御する信号として使用されている。スタンバイスイッチ２３がオン状態になるとＳＴＢＹ（Ｏ）信号はハイ状態になり、タッチセンサ７４によって遊技者のタッチオンが検出されるとＴＣＨ（Ｄ）信号はハイ状態になり、これら２つの信号がハイ状態になるとアンド回路１０６の出力信号ＬＶＣ（Ｑ）がハイ状態となり、強度調整可能表示灯１８が点灯しスイッチ３３の操作が受け付け可能状態にあることを報知する。
【００８７】
また、アンド回路１０６の出力信号ＬＶＣ（Ｑ）は、ドライバー１０８を介して出力され、「倒」状態を安定化させるためにの安定化手段２７ａ、２７ｂを制御する信号として使用されている。可動アーム３５が操作されスタンバイスイッチ２３がオン状態になり、且つ、遊技者が設定操作部３０または腕置き部３６にタッチオンしていると、ＳＴＢＹ（Ｏ）信号およびＴＣＨ（Ｄ）信号がハイ状態となり、アンド回路１０６の出力信号ＬＶＣ（Ｑ）もハイ状態になる。これにより、安定化手段２７ａ、２７ｂを構成する電磁ロック機構が作動し「倒」状態を保持する。可動アーム３５は特に腕に力を入れることなく腕の重さだけで容易に「倒」状態を維持することができるが、このようにスイッチ３３の操作が受け付け可能状態にある間は安定化手段２７ａ、２７ｂが作動して「倒」状態を安定化させることができ、これらの状態は強度調整可能表示灯１８の点灯によって認識することができる。また、遊技者がタッチオフ状態になるか、あるいはスタンバイスイッチ２３がオフするとＬＶＣ（Ｑ）信号はロー状態になり、電磁ロック機構の作動が解除されると共に、スイッチ３３の操作が受け付け不可の状態となり強度調整可能表示灯１８が消灯してその旨を報知する。
【００８８】
遊技者がタッチオフ状態になると、可動アーム３５はウエイト部３７の作用により自動的に「倒」状態から「立」状態へ回転動作を開始する。遊技者がタッチオフ状態になると、インバータ回路１１５を通ったＬＶＣ（Ｑ）信号は、ハイ状態の信号ＬＶＣ（Ｒ）になる。ＬＶＣ（Ｒ）信号は、図１１に示される（後述する）オア回路１１６に入力されており、信号ＬＶＣ（Ｒ）がハイ状態になった結果、オア回路１１６の出力信号であるクロック伝達制御信号１１７がハイ状態になって、クロック制御部９３を制御しプリセット付きＵＰ／ＤＯＷＮカウンタ９５へのクロックの伝達を停止させる。これにより強度設定スイッチであるＵＰ／ＤＯＷＮスイッチ４７、４８の操作が受け付けられず遊技球の発射強度の調整が不可状態になる。この「倒」状態から「立」状態へ回転動作している途中段階で遊技者が設定操作部３０あるいは腕置き部３６にタッチオン状態（ＴＣＨ（Ｄ）信号がハイ）になったとしても、スタンバイスイッチ２３がオフ状態（ＳＴＢＹ（Ｏ）信号がロー）になっているためＬＶＣ（Ｑ）信号はロー状態のままであり、発射強度の調整不可状態は解除されない。
【００８９】
また、上記途中段階で遊技者が設定操作部３０あるいは腕置き部３６にタッチオン状態になったとしても、遊技球の発射は再開されない。これは遊技者のタッチオン状態によりＴＣＨ（Ｄ）信号がハイ状態になったとしても、スタンバイスイッチ２３がオフ状態でＳＴＢＹ（Ｏ）信号がロー状態になっているためアンド回路１０９の出力であるＡＲＭ（Ｐ）信号がロー状態になり、このＡＲＭ（Ｐ）信号が入力されているアンド回路８０の出力である発射許可信号８６もロー状態のままとなっているからである。
【００９０】
このとき遊技者がタッチオフ状態になったときの遊技球の発射強度、即ち、遊技者がタッチオフ状態になるまで発射されていた遊技球の発射強度は、記憶手段に保持されている。これはリセットスイッチ２４が未だオフ状態にあるためＲＳＴ（Ｌ）信号はロー状態であり、後述するアンド回路１１０の出力であるＲＳＴ２信号もロー状態になりプリセット付きＵＰ／ＤＯＷＮカウンタ９５のリセットは行われないからである。
【００９１】
遊技者が「倒」状態から「立」状態へ回転動作中にある可動アーム３５を操作し、再度、「倒」状態にすると、スタンバイスイッチ２３がオフ状態（ＳＴＢＹ（Ｏ）信号がハイ）になり、ＬＶＣ（Ｒ）信号がロー状態となって発射強度の調整が可能状態となると共に、ＡＲＭ（Ｐ）信号がハイ状態となって発射許可信号８６がハイ状態になり、前記保持されているタッチオフ直前の発射強度が取得され、その強度で遊技球の発射が再開される。
【００９２】
可動アーム３５が回転し「立」状態になり、設定操作部３０面を覆い隠す状態に格納されると、リセットスイッチ２４がオン状態になる。また、スタンバイスイッチ２３がオフ状態にあるためＳＴＢＹ（Ｏ）信号はロー状態にあり、遊技者がタッチオフ状態であるためＲＳＴ（Ｌ）信号はロー状態にあるのでアンド回路１０９の出力であるＡＲＭ（Ｐ）信号はロー状態になる。従って、アンド回路８０の出力である発射許可信号８６はロー状態になり発射装置の発射駆動は停止状態となる。
【００９３】
発射強度デジタルデータの初期化条件、即ち、プリセット付きＵＰ／ＤＯＷＮカウンタ９５がリセットされる条件は、図１１に示されるオア回路１１２の出力（ＲＳＴ３信号）がハイ状態になったとき、即ち、オア回路１１２の入力であるＴＵ信号またはＲＳＴ２信号がハイ状態になったときである。ＴＵ信号（詳しくは後述する）は、発射停止スイッチ４９がオン操作されて遊技の一時停止状態が発生し、遊技者がタッチオフ状態のままその一時停止状態が予め定められた所定の時間継続したときにワンショットパルス出力回路１０５から出力される信号である。ＲＳＴ２信号は、アンド回路１１０の出力信号であり、入力されるＱ'（Ｆ）信号、ＲＳＴ（Ｌ）信号、及びＴＣＨ（Ｓ）信号の全てがハイ状態のときに出力される信号である。
【００９４】
発射停止スイッチ４９がオン操作されて一時停止状態が発生している期間中は、操作直前の発射強度を保持しておく必要があるため、プリセット付きＵＰ／ＤＯＷＮカウンタ９５をリセットしないように、Ｑ'（Ｆ）信号はロー状態になる。従って、Ｑ'（Ｆ）信号は、一時停止状態以外の期間でハイ状態になる。また、ＲＳＴ（Ｌ）信号は、可動アーム３５が「立」状態になりリセットスイッチ２４がオン状態になっているときにハイ状態になる。また、ＴＣＨ（Ｓ）信号は、遊技者がタッチオフしているときにハイ状態になる。よって、ＲＳＴ２信号は、一時停止状態の期間中ではなく、可動アーム３５が「立」状態になっており、遊技者が設定操作部３０及び腕置き部３６にタッチオフとなった状態でハイ状態になる。以上のことから、発射強度デジタルデータの初期化は、遊技者がタッチオフ状態のままその一時停止状態が所定時間継続したとき、あるいは一時停止状態以外の期間で、可動アーム３５が「立」状態になっており、遊技者が設定操作部３０及び腕置き部３６にタッチしていないときに行われる。強度の初期化を３つの条件の論理積としたのは、遊技者が不用意にタッチオフ状態になってしまったとき、直ぐに発射強度がリセットされるのではなく、可動アーム３５が回転し「立」状態に収納されるまでの猶予期間を設け、且つ、遊技者が目視上、可動アーム３５の格納を確認することによって感覚的に遊技の終了（強度の初期化）を納得するようにさせるためである。
【００９５】
ノイズ、チャタリング除去回路８９から出力された信号ＳＴＢＹ（Ｏ）は、アンド回路１０９に入力される。また、アンド回路１０９には、ノイズ、チャタリング除去回路７５の出力信号ＴＣＨ（Ｄ）が入力されている。ＳＴＢＹ（Ｏ）信号は、スタンバイスイッチ２３がオンしているときにハイ状態となり、ＴＣＨ（Ｄ）信号は、遊技者が設定操作部３０または腕置き部３６にタッチオンしているときにハイ状態となる。
【００９６】
フリップフロップ７１の出力Ｑ'と、アンド回路１０９の出力信号ＡＲＭ（Ｐ）は、図９に示すアンド回路８０に入力されている。出力Ｑ'は、発射停止スイッチ４９の操作状態が発射停止解除状態に切り替わったとき、電源が投入されてパワーオンリセット信号７２が入力されたとき、設定操作部３０または腕置き部３６に遊技者がタッチしてリセット信号７３が入力されたとき、あるいはタイムアップパルスが入力されたときにハイ状態となる。また、アンド回路１０９の出力信号は、スタンバイスイッチ２３がオン状態になり、遊技者が設定操作部３０または腕置き部３６にタッチしているときにハイ状態になる。そして、アンド回路８０の出力信号は、これらの信号がいずれもハイとなったときにハイ状態になる。
【００９７】
遊技開始時は、フリップフロップ７１はリセット状態にあるため出力Ｑ'はハイ状態となっている。また、遊技開始以前は必ず遊技者はタッチオフ状態であるため、発射強度は初期化された状態であり、発射駆動は停止された状態である。遊技者が可動アーム３５を手前に倒すために操作すると、遊技者の手が腕置き部３６に触れてタッチオン状態となってＴＣＨ（Ｄ）信号がハイ状態になる。可動アーム３５を「倒」状態まで回転させるとスタンバイスイッチ２３がオン状態となってＳＴＢＹ（Ｏ）信号がハイ状態になる。これによりアンド回路１０９の出力信号ＡＲＭ（Ｐ）がハイ状態になり、出力Ｑ'とＡＲＭ（Ｐ）信号が入力されているアンド回路８０の出力信号である発射許可信号（ＨＣＮＤ（Ｊ））８６がハイ状態になる。この状態においてスイッチ３３が調整され発射強度が設定されれば、その設定された発射強度で遊技球が発射され遊技中状態になる。
【００９８】
また、遊技球が発射されている状態において発射停止スイッチ４９が操作されオン状態になると、出力Ｑ'がロー状態になりＨＣＮＤ（Ｊ）８６がロー状態になって遊技球の発射駆動が停止され発射一時停止状態になる。また、遊技球が発射されている状態において遊技者が設定操作部３０および腕置き部３６からタッチオフ状態になると、ＡＲＭ（Ｐ）信号がロー状態になりＨＣＮＤ（Ｊ）８６がロー状態になって遊技球の発射駆動が停止され強制的一時停止状態になる。またスタンバイスイッチ２３がオフ状態になったときも前記同様に強制的一時停止状態になる。尚、腕置き部３６に遊技者の手の替わりに物を載せてスタンバイスイッチ２３をオン状態にしていても、遊技者が設定操作部３０および腕置き部３６からタッチオフ状態になると上記のようにＡＲＭ（Ｐ）信号がロー状態になるため発射駆動が停止されて強制的一時停止状態になり遊技球を発射させることはできない。
【００９９】
アンド回路８０の出力信号は、発射装置を制御する発射制御回路８１に入力されると共に、ドライバー８２と、リレーあるいはフォトカプラ８３と、外部情報端子板８４を介してホール管理コンピュータ８５に接続されている。アンド回路８０の出力信号は、発射許可信号（ＨＣＮＤ（Ｊ））８６として発射制御回路８１に入力され、ハイ状態のときに遊技球の発射許可を意味し、ロー状態のときに遊技球の発射禁止を意味する信号である。ハイ状態の発射許可信号８６が入力されると発射制御回路８１は発射装置の発射駆動を開始する制御を行い、ロー状態の発射許可信号８６が入力されると発射制御回路８１は発射装置の発射駆動を停止する制御を行う。発射制御回路８１には、後述するＤ／Ａコンバータ９６から出力された電圧が入力されており、この電圧に基づいて発射装置のソレノイドの励磁力が制御され、その励磁力による発射強度で遊技球が発射される。また、アンド回路８０の出力信号は、パチンコ機が稼動中であるか否かを表わす発射状態信号８７としてホール管理コンピュータ８５に送信され、ハイ状態のときにパチンコ機が稼動状態であることを意味し、ロー状態のときにパチンコ機が稼動停止状態であることを意味する信号である。
【０１００】
図１１は、発射装置から発射される遊技球の発射強度をデジタルデータの変化によって処理するデジタル式強度設定ブロックである。デジタル式強度設定ブロックは、強度設定スイッチ４７、４８の操作によって調整される遊技球の発射強度データを処理するための処理ブロック（強度設定スイッチ処理ブロック）９１と、発射停止スイッチ４９を操作した後に遊技者が設定操作部３０に対して非接触状態となった場合の遊技の一時停止時間を測定するための処理ブロック（タイマーブロック）１００から構成されている。
【０１０１】
強度設定スイッチであるＵＰ／ＤＯＷＮスイッチ４７、４８が押し操作されると、遊技球の発射強度を調整するためのクロックパルスであるＵＰスイッチパルスとＤＯＷＮスイッチパルスがそれぞれ発生する。このクロックパルスは、ノイズ、チャタリング除去回路９２において、ノイズ及びチャタリングの除去処理がされた後に、クロック制御部９３に入力される。クロック制御部９３にはカウンタ用のクロック９４が入力されており、ノイズ、チャタリング除去回路９２から入力されたクロックパルスがＵＰスイッチ４７の操作によるものである場合には、カウンタＵＰ用のクロック９４がプリセット付きＵＰ／ＤＯＷＮカウンタ９５のＵＰ端子に入力され、ノイズ、チャタリング除去回路９２から入力されたクロックパルスがＤＯＷＮスイッチ４８の操作によるものである場合には、カウンタＤＯＷＮ用のクロック９４がプリセット付きＵＰ／ＤＯＷＮカウンタ９５のＤＯＷＮ端子に入力される。
【０１０２】
このプリセット付きＵＰ／ＤＯＷＮカウンタ９５に入力されたクロック９４によって、プリセット付きＵＰ／ＤＯＷＮカウンタ９５のカウンタ値は増加あるいは減少するが、そのカウンタ値の増減の開始点はその時に設定されているプリセット付きＵＰ／ＤＯＷＮカウンタ９５のカウンタ値となる。即ち、図７に示すワープスイッチ４１によっていずれかのプリセットポジションが選択された後のＵＰ／ＤＯＷＮスイッチ４７、４８の調整では、選択されたプリセットポジションに対応するプリセット付きＵＰ／ＤＯＷＮカウンタ９５のカウンタ値が増減の開始点となる。また、ワープスイッチ４１によってプリセットポジションが選択された後にＵＰ／ＤＯＷＮスイッチ４７、４８によって既にカウンタ値が調整されている場合には、その調整された後のプリセット付きＵＰ／ＤＯＷＮカウンタ９５のカウンタ値が増減の開始点となる。
【０１０３】
例えば、８ビットのＤ／Ａコンバータを用いる場合、ＵＰ／ＤＯＷＮスイッチ４７、４８の調整によってプリセット付き８ビットＵＰ／ＤＯＷＮカウンタ９５のカウンタ値は、上記のカウンタ値を開始点としてカウンタ出力値の最小値「０」〜最大値「２５５」まで変化する。即ち、例えば、ワープスイッチ４１によってプリセットポジション「レール内」が選択された場合には、「レール内」に対応するプリセット付きＵＰ／ＤＯＷＮカウンタ９５のカウンタ値「６０」を増減の開始点として、最小値「０」〜最大値「２５５」まで変化し、同様に「ぶっ込み」が選択された場合にはカウンタ値「１２０」を開始点、「天」が選択された場合にはカウンタ値「１２７」を開始点、「右打ち」が選択された場合にはカウンタ値「２５０」を開始点として最小値「０」〜最大値「２５５」まで変化する。
【０１０４】
８ビットのプリセット付きＵＰ／ＤＯＷＮカウンタ９５のカウンタ値は、ＵＰ／ＤＯＷＮスイッチ４７、４８の操作により最小値「０」〜最大値「２５５」まで変化するが、最小値「０」まで達したときはさらにＤＯＷＮスイッチ４８が操作されても、また最大値「２５５」まで達したときはさらにＵＰスイッチ４７が操作されても変化せずに最小値「０」および最大値「２５５」を維持する。即ち、プリセット付きＵＰ／ＤＯＷＮカウンタ９５のカウンタ値が最小値「０」または最大値「２５５」まで達すると、そのことが最大・最小値検出部９７により検出され、クロック制御９３に伝達される。カウンタ値の最小値「０」に達したことが最大・最小値検出部９７によって検出されると、クロック制御部９３は、プリセット付きＵＰ／ＤＯＷＮカウンター９５のＤＯＷＮ端子に入力されるカウンタＤＯＷＮクロックの伝達を停止し、ＵＰ端子に入力されるカウンタＵＰクロックのみを伝達する。
【０１０５】
カウンタ値の最大値「２５５」に達したことが最大・最小値検出部９７によって検出されると、クロック制御部９３は、プリセット付きＵＰ／ＤＯＷＮカウンター９５のＵＰ端子に入力されるカウンタＵＰクロックの伝達を停止し、ＤＯＷＮ端子に入力されるカウンタＤＯＷＮクロックのみを伝達する。このような処理により、プリセット付きＵＰ／ＤＯＷＮカウンタ９５のキャリー／ボロー処理が禁止される。ＵＰ時は「０」→「１」→「２」…→…「２５３」→「２５４」→「２５５」、「２５５」（その後ＵＰクロックを加えても「２５５」で飽和し続ける）、ＤＯＷＮ時は「２５５」→「２５４」→「２５３」…→…「２」→「１」→「０」、「０」（その後ＤＯＷＮクロックを加えても「０」で飽和し続ける）のように処理される。カウンタＤＯＷＮクロックの停止、およびカウンタＵＰクロックの停止により、ＵＰ／ＤＯＷＮカウンタ９５のカウンタの最小値「０」および最大値「２５５」は維持される。
【０１０６】
プリセット付きＵＰ／ＤＯＷＮカウンタ９５から出力されたカウント値は、Ｄ／Ａコンバータ９６に入力される。Ｄ／Ａコンバータ９６には最大基準電圧と最小基準電圧が与えられており、プリセット付きＵＰ／ＤＯＷＮカウンタ９５のカウント値をＮ、最大基準電圧をＶｍａｘ、最小基準電圧をＶｍｉｎとすると、Ｄ／Ａコンバータ９６から出力される電圧Ｖｏｕｔは、次式によって求められる。
Ｖｏｕｔ＝Ｖｍｉｎ＋（Ｖｍａｘ−Ｖｍｉｎ）＊Ｎ／２５６
Ｄ／Ａコンバータ９６から出力された電圧は、図９に示す発射制御回路８１に入力される。そして、この電圧に基づいて発射装置のソレノイドの励磁力が制御され、その励磁力による発射強度で遊技球が発射される。
【０１０７】
図９、１０の説明でも記載したように、インバータ回路９０の出力信号（ＴＣＨ（Ｓ）信号）はアンド回路１１０に入力されている。また、アンド回路１１０には図９に示すフリップフロップ７１の出力信号Ｑ'（Ｆ）と、リセットスイッチ２４の状態を表わすＲＳＴ（Ｌ）信号が入力されている。従って、アンド回路１１０の出力は、インバータ回路９０の出力信号がハイ状態になり、さらにフリップフロップ７１の出力信号Ｑ'（Ｆ）がハイ状態になり、さらにＲＳＴ（Ｌ）信号がハイ状態になったとき、即ち、遊技者が設定操作部３０および腕置き部３６に対して非接触状態になり、発射停止スイッチ４９の操作により発射装置の発射駆動の停止が解除され、さらにリセットスイッチ２４がオン状態になったときハイ状態になる。さらに具体的には、例えば、遊技者が遊技を行っている途中で発射停止スイッチ４９を操作せずに（一時停止状態にしないで）、設定操作部３０から手を離して、可動アーム３５が「立」状態になったときに、アンド回路１１０の出力はハイ状態になる。アンド回路１１０の出力信号であるＲＳＴ２信号はオア回路１１２に入力される。
【０１０８】
タイマーブロック１００は、発射停止スイッチ４９をオン操作した後に遊技者が設定操作部３０または腕置き部３６に対して非接触状態となっている遊技の一時停止時間を測定するための処理ブロック、即ち、遊技者の休息時間の制限を行なうブロックである。タイマーブロック１００は、時間の測定の基準となるクロック１０１と、クロック１０１をカウントするカウンタ１０２と、カウンタ１０２によってカウントされた値をデコードし、予め設定されている時間に対応したカウント値か否か判定するデコーダ１０３と、予め設定されている時間、即ち、許容される休息時間を選択するためのセレクタ１０４と、デコーダ１０３によってカウンタ１０２のカウント値が設定された時間に達したときにパルス（ＴＵ：タイムアップパルス）を生成するワンショットパルス出力回路１０５から構成されている。セレクタ１０４には外部に設けられた、例えば、遊技者が操作できないパチンコ機の裏面側に設けられた選択スイッチ１１８が接続（図９、１１において＊１と表示）されており、この選択スイッチ１１８の設定により休息時間として遊技を一時停止することができる時間を予めパチンコホール側で決定できるようになっている。時間は２ビットの入力スイッチで設定することができ、例えば、１５分、３０分、４５分、６０分の４通りを選択できるようになっている。
【０１０９】
図９に示すフリップフロップ７１の出力信号Ｑ'（Ｆ）とノイズ、チャタリング除去回路７５の出力ＴＣＨ（Ｄ）信号はオア回路１１３に入力されている。そして、オア回路１１３の出力信号はタイマーブロック１００のカウンタ１０２のリセット端子に入力されている。カウンタ１０２はリセット端子の入力がハイ状態のときリセットされる。オア回路１１３の出力はフリップフロップ７１の出力信号Ｑ'（Ｆ）がハイ状態のとき、あるいはノイズ、チャタリング除去回路７５の出力ＴＣＨ（Ｄ）信号がハイ状態のときにハイ状態になる。フリップフロップ７１の出力信号Ｑ'（Ｆ）は、発射装置の発射駆動の停止が解除され遊技球の発射が許可されている期間にハイ状態となり、ノイズ、チャタリング除去回路７５の出力は、遊技者が設定操作部３０に接触している期間にハイ状態となる。即ち、カウンタ１０２は、フリップフロップ７１の出力信号Ｑ'（Ｆ）とノイズ、チャタリング除去回路７５の出力ＴＣＨ（Ｄ）信号が共にローとなった状態、つまり発射停止スイッチ４９の操作により発射装置の発射駆動が停止され、且つ遊技者が設定操作部３０から手を離した状態でリセットが解除され、クロック１０１のカウントを開始する。そして、それ以外の状態ではリセットされている。
【０１１０】
ワンショットパルス出力回路１０５から出力されたタイムアップパルスは、オア回路１１２に入力されている。また、オア回路１１２には上述したようにリセット信号（ＲＳＴ２）が入力されている。そして、オア回路１１２の出力信号は、リセット信号（ＲＳＴ３）としてプリセット付きＵＰ／ＤＯＷＮカウンタ９５に入力されている。リセット信号（ＲＳＴ３）の入力によりプリセット付きＵＰ／ＤＯＷＮカウンタ９５のカウンタ値は「ゼロ」にリセットされる。即ち、発射停止スイッチ４９の操作により発射装置の発射駆動が停止され、且つ遊技者が設定操作部３０及び腕置き部３６から手を離した状態で予め定められた休息時間が経過し、ワンショットパルス出力回路１０５からタイムアップパルスが出力されたとき、または遊技者が遊技を行っている途中で発射停止スイッチ４９を操作せずに（一時停止状態にしないで）設定操作部３０及び腕置き部３６から手を離し、可動アーム３５が「立」状態になり、リセット信号（ＲＳＴ２）が出力されたときに、オア回路１１２の出力からリセット信号（ＲＳＴ３）が出力され、プリセット付きＵＰ／ＤＯＷＮカウンタ９５のカウンタ値はリセットされる。
【０１１１】
リセット信号（ＲＳＴ３）がプリセット付きＵＰ／ＤＯＷＮカウンタ９５のリセット端子に入力されると、それまで設定されていたプリセット付きＵＰ／ＤＯＷＮカウンタ９５のカウント値が最小値の「ゼロ」にリセットされる。これによりＤ／Ａコンバータ９６に入力されるデジタルデータも「００」になると共に、出力されるアナルログＤＣ電圧値も最小基準電圧Ｖｍｉｎになる。このＤ／Ａコンバータ９６の出力電圧値は、発射強度信号として発射制御回路８１に入力され、発射装置から発射される遊技球の発射強度は最小になる。
【０１１２】
ＵＰ／ＤＯＷＮカウンターとは、本来、内部回路が複数のフリップフロップから構成されているので、外部からリセット入力することでデータが初期化される。また、更にクロックが入力されて次のデータに更新されるまで、前回のデータが保持されている。この性質を利用すると、本実施の形態のように一回の一時停止時における発射強度のデータの記憶および呼出しを行うためには、新たにＲＡＭ等の特別な記憶装置（メモリー）を別途追加することなくＵＰ／ＤＯＷＮカウンターのみで保存／呼出作業を行うことができる。
【０１１３】
また、ワンショットパルス出力回路１０５から出力されたタイムアップパルスは、オア回路７６に入力されている。タイムアップパルスが入力されると、オア回路７６の出力からはリセット信号（ＲＳＴ１）が出力され、そのリセット信号はフリップフロップ７１のリセット端子に入力される。リセット信号が入力されるとフリップフロップ７１はリセットされ、出力信号Ｑ'（Ｆ）はハイ状態になり、出力信号Ｑ（Ｅ）はロー状態になる。即ち、遊技者が発射停止スイッチ４９を操作して発射装置の発射駆動を停止させた後、設定操作部３０及び腕置き部３６から手を離した非接触状態のまま予め定められた休息時間が経過すると、タイムアップパルスの入力により発射装置の発射駆動の停止された一時停止状態が解除されると共に、一時停止期間中であることを表示していた表示灯２２の点滅表示は停止される。遊技者は自分の意思で発射停止スイッチ４９を操作し遊技を一時停止する状態に設定した後、予め許容されている時間（休息時間として許されている期間）が経過するまで設定操作部３０及び腕置き部３６から手を離した状態でいたことになる。このとき可動アーム３５は「立」状態になっている。これによりホール側は、そのパチンコ機にまだ遊技球が残されていたとしても遊技者が席を離れている場合には、その遊技者はそこで遊技を継続する意思が無いものと判断して残されていた遊技球を片付けてそのパチンコ機を次の遊技者のために提供することが可能となる。
【０１１４】
図９のブロック図によると、発射停止スイッチの操作処理と発射強度の設定処理は独立しているので、遊技者が発射停止スイッチ４９の操作により発射一時停止状態に設定した場合であっても、スタンバイスイッチ２３がオン状態になっていれば、発射強度の調整は可能である。しかし実際には、発射強度調整を行なう場合、可動アーム３５を「倒」状態まで操作し、また発射強度操作装置１７の設定操作部３０に設けられているスイッチ４１、４７、４８に触れて操作しなければならないので、その時、人体の再接触が検出され、発射一時停止状態は解除される。発射強度のデジタルデータは、次に遊技者が発射強度操作装置のスイッチ４１、４７、４８を操作してデータを更新するまで、あるいは、発射一時停止状態に設定した後、設定操作部３０または腕置き部３６に接触しないまま予め設定されている休息時間を経過するまで、その操作直前のデータが保持されている。一時停止状態に設定された後、遊技者が発射強度を調整する場合には、遊技者が設定操作部３０及び腕置き部３６に接触することによって、発射一時停止状態に設定される直前の発射強度が再取得され、その発射強度データを開始点として調整が行われる。また、遊技者の接触により発射一時停止状態は解除され、前記再取得された発射強度で遊技球の再発射が行なわれる。よって、発射一時停止状態に設定された時に、発射強度の調整を受け付けないような構成にする必要は特にない。
【０１１５】
図１２は、図１１に示すデジタル式強度設定ブロックにおいて、発射強度スイッチ４７、４８に替え図８に示すロータリーエンコーダー６１を設けたものであり、ロータリーエンコーダー６１の操作によって調整されるロータリーエンコーダー処理ブロック９１'を示している。
ロータリーエンコーダ６１はインクリメンタル方式で、回転操作するとＡ、Ｂ相の２相のクロックを発生する。これらＡ、Ｂ２相のクロックは、ノイズチャタリング除去回路９２を経由してロータリーエンコーダクロック処理ブロック９８に入力される。ロータリーエンコーダ６１を右に回転操作すると、ロータリーエンコーダクロック処理ブロック９８のＵＰ／ＤＯＷＮ制御出力信号がハイ状態（「Ｈ」）になり、Ａ、Ｂ各相のクロックの切り替わり毎にクロックが生成される（４逓倍されたクロックが発生する）。そして、ロータリーエンコーダ６１を左に回転操作すると、ＵＰ／ＤＯＷＮ制御信号がロー状態（「Ｌ」）になり、Ａ、Ｂ各相のクロックのレベルの切り替わり毎にクロックが生成される（４逓倍されたクロックが発生する）。これらのクロックはノイズ、チャタリング除去回路９２に入力されるが、その処理は図７のノイズ、チャタリング除去回路９２の処理と同様である。
【０１１６】
次に、このロータリーエンコーダクロック処理ブロック９８によって生成されたクロックとＵＰ／ＤＯＷＮ制御信号はクロック制御部９３'に入力される。クロック制御部９３'は、ＵＰ／ＤＯＷＮ制御信号が「Ｈ」の場合は、生成されたクロックをＵＰ／ＤＯＷＮカウンタ９５'のＵＰ端子に入力し、ＵＰ／ＤＯＷＮ制御信号が「Ｌ」の場合は、生成されたクロックをＵＰ／ＤＯＷＮカウンタ９５'のＤＯＷＮ端子に入力する。このＵＰ／ＤＯＷＮカウンタ９５'に入力されたＵＰ／ＤＯＷＮクロックによって、ＵＰ／ＤＯＷＮカウンタの値は増加または減少するが、その処理の内容は図１１のプリセット付きＵＰ／ＤＯＷＮカウンタ９５の処理と同様である。また、Ｄ／Ａコンバータ９６、最大・最小値検出部９７による処理の内容も図１１で説明したそれらの処理と同様である。
【０１１７】
図１３から図１５は、図１に示すパチンコ機１の制御手段による遊技球発射駆動の別の一形態を示す制御ブロック図であり、図９から図１２に示した遊技球発射駆動の制御ブロックにおいて、オン操作期間中にのみ遊技球の発射を停止させることができる（ラッチ機能を有しない）発射停止スイッチを使用したものである。従って、同一の部材には同じ番号を付し、同様の作用をする場合にはその詳細な説明は適宜省略する。
【０１１８】
発射停止スイッチ４９'を押操作すると、その押操作している期間中はＳＴＯＰ（Ａ）信号はロー状態になり、押操作を止めるとるＳＴＯＰ（Ａ）信号はハイ状態になる。ＳＴＯＰ（Ａ）信号はノイズ、チャタリング除去回路７０に入力され論理反転等され、ＳＴＯＰ（Ｂ）信号として出力される。ＳＴＯＰ（Ｂ）信号はインバータ回路１１９に入力されて更に反転された後、アンド回路８０に入力（ＳＴＯＰ（Ｔ）信号）される。従って、アンド回路８０には発射停止スイッチ４９'が押操作されている期間中はロー状態の信号（ＳＴＯＰ（Ｔ）信号）が入力される。アンド回路８０には、アンド回路１０９の出力信号であるＡＲＭ（Ｐ）信号も入力されているが、ＡＲＭ（Ｐ）信号の状態に影響されず、アンド回路８０の出力信号である発射許可信号８６（ＨＣＮＤ（Ｊ））は、発射停止スイッチ４９'が押操作されている期間中はロー状態になる。発射許可信号８６は、発射制御回路８１に入力されており、ロー状態の発射許可信号８６により発射装置の発射駆動が停止し、遊技球の発射はその発射停止スイッチ４９'が押操作されている期間中は停止状態になる。
【０１１９】
発射停止スイッチ４９'の押操作を止めるとるアンド回路８０にはインバータ回路１１９からハイ状態のＳＴＯＰ（Ｔ）信号が入力される。また、アンド回路８０にはアンド回路１０９の出力信号であるＡＲＭ（Ｐ）信号も入力されており、ＡＲＭ（Ｐ）信号は、遊技者が設定操作部３０または腕置き部３６にタッチオン状態（ＴＣＨ（Ｄ）信号がハイ）であり、且つ、スタンバイスイッチ２３がオン状態（ＳＴＢＹ（Ｏ）信号がハイ）のときにハイ状態になる。従って、アンド回路８０の出力信号である発射許可信号８６は、発射停止スイッチ４９'が押操作されておらず、遊技者が設定操作部３０または腕置き部３６にタッチオン状態にあり、さらにスタンバイスイッチ２３がオン状態のときにハイ状態になり、遊技球の発射が許可される。
【０１２０】
プリセット付きＵＰ／ＤＯＷＮカウンタ９５のリセット端子には、アンド回路１１０の出力信号であるＲＳＴ１信号が入力されている。アンド回路１１０にはインバータ回路９０の出力信号（ＴＣＨ（Ｓ）信号）と、リセットスイッチ２４の状態を表わすＲＳＴ（Ｌ）信号と、発射停止スイッチ４９'の操作状態を表わすＳＴＯＰ（Ｔ）信号が入力されている。従って、アンド回路１１０の出力信号であるＲＳＴ１信号は、インバータ回路９０の出力信号がハイ状態になり、さらにＲＳＴ（Ｌ）信号がハイ状態になり、さらにＳＴＯＰ（Ｔ）信号がハイ状態になったとき、即ち、遊技者が設定操作部３０および腕置き部３６に対して非接触状態になり、さらに可動アーム３５が「立」状態になってリセットスイッチ２４がオン状態になり、さらにそのとき発射停止スイッチ４９が押操作されていなければハイ状態になる。そしてこのＲＳＴ１信号がハイ状態になるとプリセット付きＵＰ／ＤＯＷＮカウンタ９５のデータがリセットされる。
【０１２１】
図１６、図１７は、図１に示すパチンコ機１の制御手段による遊技球発射駆動の別の一形態を示す制御ブロック図あり、図９から図１２に示した遊技球発射駆動の制御ブロックにおいて、発射強度操作装置１７にリセットスイッチ２４のみを設けたものである。従って、同一の部材には同じ番号を付し、同様の作用をする場合にはその詳細な説明は適宜省略する。
遊技者が遊技していない初期状態（放置状態）では、可動アーム３５は「立」状態になるため、リセットスイッチ２４はオン状態になり、遊技球の発射強度はリセットされた初期化状態になっている。この状態から遊技者が可動アーム３５を「倒」状態方向へ回転操作すると、腕置き部３６に対して接触状態となり、さらにリセットスイッチ２４がオフ状態になるため、設定操作部３０のスイッチ３３操作が受け付け可能な遊技球発射強度の調整受付状態になる。リセットスイッチ２４のオフでＲＳＴ（Ｌ）信号はロー状態になり、インバータ回路１２０で反転されたＲＳＴ（Ｍ）信号はハイ状態になる。このＲＳＴ（Ｍ）信号によってドライバー１０７が駆動され、遊技球発射強度の調整受付状態であることを報知する強度調整可能表示灯１８が点灯表示される。
【０１２２】
腕置き部３６に接触状態になったことがタッチセンサ７４によって検出されたことによりＴＣＨ（Ｄ）信号がハイ状態になり、また上記のようにＲＳＴ（Ｍ）信号がハイ状態になることで、アンド回路１０９の出力信号であるＡＲＭ（Ｏ）信号がハイ状態になる。これにより、発射停止スイッチ４９がオン操作されていなければ（フリップフロップ７１の出力信号Ｑ'（Ｆ）がハイになるので）、アンド回路８０の出力信号である発射許可信号８６がハイ状態になり、この信号が発射制御回路８１に入力され発射装置の発射駆動が開始される。従って、発射強度が既に設定され、その強度が記憶されていたとすれば、再取得されてその発射強度で遊技球の発射が行われるが、ここでは、上記のように初期状態から可動アーム３５の操作を行っているので、発射強度が調整されるのを待つ調整待機状態になる。
【０１２３】
遊技者は通常、可動アーム３５を略９０度回転操作し、腕置き部３６の面が略水平になった「倒」状態にしてスイッチ３３の操作、即ち、発射強度の調整を行う。発射強度が調整されるとその調整された発射強度で遊技球の発射が開始される。この形態ではスタンバイスイッチ２３が設けられていないため、可動アーム３５の状態が「倒」状態まで回転操作されていなくても、リセットスイッチ２４がオフ状態であり、遊技者が設定操作部３０または腕置き部３６にタッチオン状態にあり、発射強度が設定されていれば発射装置の発射駆動は作動し遊技球は発射される（但し、発射停止スイッチ４９がオフ状態になっていることは要）。
【０１２４】
遊技者が設定操作部３０および腕置き部３６から手を離してタッチオフ状態になると、ＴＣＨ（Ｄ）信号がロー状態になるためアンド回路１０９の出力信号であるＡＲＭ（Ｏ）信号はロー状態になり、さらにアンド回路８０の出力信号である発射許可信号８６がロー状態になるため発射装置の発射駆動は停止され、遊技球の発射が停止される。このとき遊技者がタッチオフ状態になる直前の発射強度は記憶手段に保持される。また、可動アーム３５は遊技者がタッチオフ状態になることで自動的に「倒」状態から「立」状態の方向へ回転を開始する。但し、遊技者が前記回転の途中の可動アーム３５に再度タッチオン状態になったときは、前記保持された発射強度を再取得して、その強度で遊技球の発射が再開される。
【０１２５】
記憶手段に保持された発射強度は、図１７に示すプリセット付きＵＰ／ＤＯＷＮカウンタ９５がリセットされるまで保持される。プリセット付きＵＰ／ＤＯＷＮカウンタ９５は、アンド回路１１０に入力されている信号が全てハイ状態なったとき、即ち、発射停止スイッチ４９がオフ操作されており、遊技者がタッチオフ状態で、さらにリセットスイッチ２４がオン状態になったときにリセットされる。あるいは、発射停止スイッチ４９がオン操作されている場合には、遊技者がタッチオフの状態で予め定められた所定時間（休息時間）が経過したときにリセットされる。可動アーム３５が「立」状態になり設定操作部３０を覆い隠す状態に格納されると、リセットスイッチ２４がオン状態になる。これにより発射強度調整の受付が不可能状態になり、発射停止スイッチ４９がオン操作されていなければ、発射強度が初期化されて遊技が終了する。
尚、図１７に示すデジタル式強度設定ブロックは、図１１に示す強度設定スイッチ処理ブロック９１と図１２に示すロータリーエンコーダ処理ブロック９１'とを同一の図面上に表わしたものであり、制御によっていずれかの処理ブロックを選択できることを示している。
【０１２６】
図１８、図１９は、図１に示すパチンコ機１の制御手段による遊技球発射駆動の別の一形態を示す制御ブロック図であり、図１６から図１７に示した遊技球発射駆動の制御ブロックにおいて、オン操作期間中にのみ遊技球の発射を停止させることができる（ラッチ機能を有しない）発射停止スイッチを使用したものである。従って、同一の部材には同じ番号を付し、同様の作用をする場合にはその詳細な説明は適宜省略する。
【０１２７】
発射停止スイッチ４９'を押操作すると、その押操作している期間中はＳＴＯＰ（Ａ）信号はロー状態になり、押操作を止めるとるＳＴＯＰ（Ａ）信号はハイ状態になる。ＳＴＯＰ（Ａ）信号はノイズ、チャタリング除去回路７０に入力され論理反転等され、ＳＴＯＰ（Ｂ）信号として出力される。ＳＴＯＰ（Ｂ）信号はインバータ回路１１９に入力されて更に反転された後、アンド回路８０に入力（ＳＴＯＰ（Ｔ）信号）される。従って、アンド回路８０には発射停止スイッチ４９'が押操作されている期間中はロー状態の信号（ＳＴＯＰ（Ｔ）信号）が入力される。アンド回路８０には、アンド回路１０９の出力信号であるＡＲＭ（Ｐ）信号も入力されているが、ＡＲＭ（Ｐ）信号の状態に影響されず、アンド回路８０の出力信号である発射許可信号８６（ＨＣＮＤ（Ｊ））は、発射停止スイッチ４９'が押操作されている期間中はロー状態になる。以下発射許可信号８６による発射装置の発射駆動に関しては図１３に示す場合と同様である。
【０１２８】
発射停止スイッチ４９'の押操作を止めるとるアンド回路８０にはインバータ回路１１９からハイ状態のＳＴＯＰ（Ｔ）信号が入力される。また、アンド回路８０にはアンド回路１０９の出力信号であるＡＲＭ（Ｐ）信号も入力されており、ＡＲＭ（Ｐ）信号は、遊技者が設定操作部３０または腕置き部３６にタッチオン状態（ＴＣＨ（Ｄ）信号がハイ）であり、且つ、リセットスイッチ２４がオフ状態（ＲＳＴ（Ｍ）信号がハイ）のときにハイ状態になる。従って、アンド回路８０の出力信号である発射許可信号８６は、発射停止スイッチ４９'が押操作されておらず、遊技者が設定操作部３０または腕置き部３６にタッチオン状態にあり、さらにリセットスイッチ２４がオフ状態のときにハイ状態になり、遊技球の発射が許可される。
【０１２９】
プリセット付きＵＰ／ＤＯＷＮカウンタ９５のリセット端子には、アンド回路１１０の出力信号であるＲＳＴ１信号が入力されており、その動作については図１３に示す場合と同様であり、遊技者が設定操作部３０および腕置き部３６に対して非接触状態になり、さらに可動アーム３５が「立」状態になってリセットスイッチ２４がオン状態になり、さらにそのとき発射停止スイッチ４９が押操作されていなければハイ状態になる。そしてこのＲＳＴ１信号がハイ状態になるとプリセット付きＵＰ／ＤＯＷＮカウンタ９５のデータがリセットされる。
【図面の簡単な説明】
【０１３０】
【図１】本発明に係るパチンコ機の、全体正面図の一形態を示す図である。
【図２】図１に示すパチンコ機に設けられた、発射強度操作装置の一形態を示す斜視図である。
【図３】図１に示すパチンコ機に設けられた、発射強度操作装置の一形態を示す斜視図である。
【図４】図１に示すパチンコ機に設けられた、発射強度操作装置の一形態を示す側面図である。
【図５】図４に示す発射強度操作装置の可動アームを「倒」状態にしたときの図である。
【図６】アームレスト部の別の形態を示すものであり、（ａ）は可動アームが「倒」状態となったときの図であり、（ｂ）はその上面図であり、（ｃ）はこの形態で用いられるバネの一形態を示す図である。
【図７】図２および図３に示す発射強度操作装置の設定操作部の一形態を示す図である。。
【図８】設定操作部の他の一形態を示す図である。
【図９】本発明に係るパチンコ機の制御手段による遊技球発射駆動制御に関するブロック図である。
【図１０】本発明に係るパチンコ機の制御手段による遊技球発射駆動制御に関するブロック図である。
【図１１】本発明に係るパチンコ機の制御手段による遊技球発射駆動制御に関するブロック図である。
【図１２】図１１に示すブロック図の別の形態（一部）を示すブロック図である。
【図１３】本発明に係るパチンコ機の制御手段による遊技球発射駆動制御に関する別の形態のブロック図である。
【図１４】本発明に係るパチンコ機の制御手段による遊技球発射駆動制御に関する別の形態のブロック図である。
【図１５】図１２に示すブロック図の別の形態を示すブロック図である。
【図１６】本発明に係るパチンコ機の制御手段による遊技球発射駆動制御に関する別の形態のブロック図である。
【図１７】本発明に係るパチンコ機の制御手段による遊技球発射駆動制御に関する別の形態のブロック図である。
【図１８】本発明に係るパチンコ機の制御手段による遊技球発射駆動制御に関する別の形態のブロック図である。
【図１９】本発明に係るパチンコ機の制御手段による遊技球発射駆動制御に関する別の形態のブロック図である。
【符号の説明】
【０１３１】
１７  発射強度操作装置
１８  強度調整可能表示灯
２２  報知手段（表示灯）
２３  スタンバイスイッチ
２４  リセットスイッチ
２６ａ、２６ｂ、２７ａ、２７ｂ  安定化手段
３０  設定操作部
３０ａ、３６ａ  タッチ検出部
３３  スイッチ
３４  支持部
３５  可動アーム
３６  腕置き部
３７  ウエイト部
４９  発射停止スイッチ
【図１】
2006280800.tif 000003
【図２】
2006280800.tif 000004
【図３】
2006280800.tif 000005
【図４】
2006280800.tif 000006
【図５】
2006280800.tif 000007
【図６】
2006280800.tif 000008
【図７】
2006280800.tif 000009
【図８】
2006280800.tif 000010
【図９】
2006280800.tif 000011
【図１０】
2006280800.tif 000012
【図１１】
2006280800.tif 000013
【図１２】
2006280800.tif 000014
【図１３】
2006280800.tif 000015
【図１４】
2006280800.tif 000016
【図１５】
2006280800.tif 000017
【図１６】
2006280800.tif 000018
【図１７】
2006280800.tif 000019
【図１８】
2006280800.tif 000020
【図１９】
2006280800.tif 000021